(57)【要約】【課題】広告効果を高める。【解決手段】情報処理装置は、プロファイル情報管理部と、抽出部と、制御部とを具備する。プロファイル情報管理部は、複数の人物に関するプロファイル情報を管理するものである。抽出部は、出力対象となる広告情報に関する出力条件と、そのプロファイル情報とに基づいて、複数の人物のうちからその出力条件を満たす人物を抽出するものである。制御部は、その抽出された人物が有する出力装置から広告情報を出力させるための制御を行うものである。【選択図】図３
2015004848.tif 000002
【特許請求の範囲】
【請求項１】
複数の人物に関するプロファイル情報を管理するプロファイル情報管理部と、
出力対象となる広告情報に関する出力条件と前記プロファイル情報とに基づいて前記複数の人物のうちから前記出力条件を満たす人物を抽出する抽出部と、
前記抽出された人物が有する出力装置から前記広告情報を出力させるための制御を行う制御部と
を具備する情報処理装置。
【請求項２】
前記プロファイル情報は、管理対象となる人物の属性に関する属性情報と、当該人物の行動に関する行動情報と、当該人物の外見に関する外見情報とを含み、
前記抽出部は、前記プロファイル情報に含まれる各情報のうちから前記出力条件を満たす情報を抽出して前記抽出された情報に対応する人物を抽出する
請求項１記載の情報処理装置。
【請求項３】
前記制御部は、前記広告情報を出力することを選択するための広告選択情報を前記出力装置に送信した後に、前記広告情報を出力することを選択した旨を示す選択情報を前記出力装置から受信したことを条件に前記広告情報を前記出力装置に送信して前記出力装置から前記広告情報を出力させる請求項１記載の情報処理装置。
【請求項４】
前記出力装置からの前記広告情報の出力に関する効果の測定結果に基づく効果測定情報を管理する広告活動情報管理部をさらに具備する請求項１記載の情報処理装置。
【請求項５】
前記出力装置から出力されている前記広告情報を取得した人物による前記広告情報の出力に関する評価を示す評価情報を管理する広告活動情報管理部をさらに具備する請求項１記載の情報処理装置。
【請求項６】
前記制御部は、前記出力装置からの前記広告情報の出力に関する効果の測定結果に基づく効果測定情報と、前記出力装置から出力されている前記広告情報を取得した人物による前記広告情報の出力に関する評価を示す評価情報とに基づいて前記抽出された人物に関する格付け情報を生成する請求項１記載の情報処理装置。
【請求項７】
前記制御部は、前記格付け情報に基づいて前記出力装置からの前記広告情報の出力に対する前記抽出された人物への報酬を決定する請求項６記載の情報処理装置。
【請求項８】
前記制御部は、前記出力装置から前記広告情報が出力されている間に前記広告情報に関する関連情報の取得要求を他の情報処理装置から受信した場合には前記関連情報を前記他の情報処理装置に送信する請求項１記載の情報処理装置。
【請求項９】
前記制御部は、近距離無線通信を利用して他の装置との間で情報のやりとりを行う広告情報提供装置に前記広告情報を記憶させ、前記広告情報提供装置から前記出力装置に前記広告情報を近距離無線通信を利用して送信させて前記出力装置から前記広告情報を出力させる請求項１記載の情報処理装置。
【請求項１０】
複数の人物に関するプロファイル情報を管理するプロファイル情報管理部と、出力対象となる広告情報に関する出力条件と前記プロファイル情報とに基づいて前記複数の人物のうちから前記出力条件を満たす人物を抽出する抽出部と、前記抽出された人物が有する出力装置に前記広告情報を送信して出力させるための制御を行う制御部とを備える情報処理装置と、
前記広告情報を出力する出力部を備える出力装置と
を具備する通信システム。
【請求項１１】
出力対象となる広告情報に関する出力条件と、複数の人物に関するプロファイル情報とに基づいて前記複数の人物のうちから前記出力条件を満たす人物を抽出する抽出手順と、
前記抽出された人物が有する出力装置から前記広告情報を出力させるための制御を行う制御手順と
を具備する情報処理方法。
【発明の詳細な説明】
【技術分野】
【０００１】
本技術は、情報処理装置に関する。詳しくは、広告情報を扱う情報処理装置、通信システムおよび情報処理方法に関する。
【背景技術】
【０００２】
従来、各種の広告媒体を用いた広告が行われている。例えば、広告配信局から配信された広告を表示装置に表示する広告配信システムが提案されている（例えば、特許文献１参照。）。
【先行技術文献】
【特許文献】
【０００３】
【特許文献１】特開２００２−２６９２９０号公報
【発明の概要】
【発明が解決しようとする課題】
【０００４】
上述の従来技術では、広告配信局から配信された広告を通信ネットワークを介して表示装置に配信することにより広告を複数の表示装置に表示することができる。
【０００５】
ここで、例えば、体の前後に広告板をかけたサンドイッチマンによる広告のように、人物を広告媒体として広告する広告手法も存在する。このように、人物を広告媒体として広告する場合には、広告と広告媒体となる人物との関係により広告効果が異なることも想定される。そこで、これらの関係を考慮して広告効果を高めることが重要である。
【０００６】
本技術はこのような状況に鑑みて生み出されたものであり、広告効果を高めることを目的とする。
【課題を解決するための手段】
【０００７】
本技術は、上述の問題点を解消するためになされたものであり、その第１の側面は、複数の人物に関するプロファイル情報を管理するプロファイル情報管理部と、出力対象となる広告情報に関する出力条件と上記プロファイル情報とに基づいて上記複数の人物のうちから上記出力条件を満たす人物を抽出する抽出部と、上記抽出された人物が有する出力装置から上記広告情報を出力させるための制御を行う制御部とを具備する情報処理装置およびその情報処理方法ならびに当該方法をコンピュータに実行させるプログラムである。これにより、複数の人物のうちから出力条件を満たす人物を抽出し、この抽出された人物が有する出力装置から広告情報を出力させるという作用をもたらす。
【０００８】
また、この第１の側面において、上記プロファイル情報は、管理対象となる人物の属性に関する属性情報と、当該人物の行動に関する行動情報と、当該人物の外見に関する外見情報とを含み、上記抽出部は、上記プロファイル情報に含まれる各情報のうちから上記出力条件を満たす情報を抽出して上記抽出された情報に対応する人物を抽出するようにしてもよい。これにより、プロファイル情報に含まれる各情報のうちから出力条件を満たす情報を抽出し、この抽出された情報に対応する人物を抽出するという作用をもたらす。
【０００９】
また、この第１の側面において、上記制御部は、上記広告情報を出力することを選択するための広告選択情報を上記出力装置に送信した後に、上記広告情報を出力することを選択した旨を示す選択情報を上記出力装置から受信したことを条件に上記広告情報を上記出力装置に送信して上記出力装置から上記広告情報を出力させるようにしてもよい。これにより、広告情報を出力することを選択するための広告選択情報を出力装置に送信した後に、広告情報を出力することを選択した旨を示す選択情報を出力装置から受信したことを条件に広告情報を出力装置に送信して出力装置から広告情報を出力させるという作用をもたらす。
【００１０】
また、この第１の側面において、上記出力装置からの上記広告情報の出力に関する効果の測定結果に基づく効果測定情報を管理する広告活動情報管理部をさらに具備するようにしてもよい。これにより、出力装置からの広告情報の出力に関する効果の測定結果に基づく効果測定情報を管理するという作用をもたらす。
【００１１】
また、この第１の側面において、上記出力装置から出力されている上記広告情報を取得した人物による上記広告情報の出力に関する評価を示す評価情報を管理する広告活動情報管理部をさらに具備するようにしてもよい。これにより、出力装置から出力されている広告情報を取得した人物による広告情報の出力に関する評価を示す評価情報を管理するという作用をもたらす。
【００１２】
また、この第１の側面において、上記制御部は、上記出力装置からの上記広告情報の出力に関する効果の測定結果に基づく効果測定情報と、上記出力装置から出力されている上記広告情報を取得した人物による上記広告情報の出力に関する評価を示す評価情報とに基づいて上記抽出された人物に関する格付け情報を生成するようにしてもよい。これにより、出力装置からの広告情報の出力に関する効果の測定結果に基づく効果測定情報と、出力装置から出力されている広告情報を取得した人物による広告情報の出力に関する評価を示す評価情報とに基づいて、抽出された人物に関する格付け情報を生成するという作用をもたらす。
【００１３】
また、この第１の側面において、上記制御部は、上記格付け情報に基づいて上記出力装置からの上記広告情報の出力に対する上記抽出された人物への報酬を決定するようにしてもよい。これにより、格付け情報に基づいて、出力装置からの広告情報の出力に対する人物への報酬を決定するという作用をもたらす。
【００１４】
また、この第１の側面において、上記制御部は、上記出力装置から上記広告情報が出力されている間に上記広告情報に関する関連情報の取得要求を他の情報処理装置から受信した場合には上記関連情報を上記他の情報処理装置に送信するようにしてもよい。これにより、出力装置から広告情報が出力されている間に広告情報に関する関連情報の取得要求を他の情報処理装置から受信した場合にはその関連情報を他の情報処理装置に送信するという作用をもたらす。
【００１５】
また、この第１の側面において、上記制御部は、近距離無線通信を利用して他の装置との間で情報のやりとりを行う広告情報提供装置に上記広告情報を記憶させ、上記広告情報提供装置から上記出力装置に上記広告情報を近距離無線通信を利用して送信させて上記出力装置から上記広告情報を出力させるようにしてもよい。これにより、広告情報提供装置から出力装置に広告情報を近距離無線通信を利用して送信させて出力装置から広告情報を出力させるという作用をもたらす。
【００１６】
また、本技術の第２の側面は、複数の人物に関するプロファイル情報を管理するプロファイル情報管理部と、出力対象となる広告情報に関する出力条件と上記プロファイル情報とに基づいて上記複数の人物のうちから上記出力条件を満たす人物を抽出する抽出部と、上記抽出された人物が有する出力装置に上記広告情報を送信して出力させるための制御を行う制御部とを備える情報処理装置と、上記広告情報を出力する出力部を備える出力装置とを具備する通信システムおよびその情報処理方法ならびに当該方法をコンピュータに実行させるプログラムである。これにより、複数の人物のうちから出力条件を満たす人物を抽出し、この抽出された人物が有する出力装置から広告情報を出力させるという作用をもたらす。
【発明の効果】
【００１７】
本技術によれば、広告効果を高めることができるという優れた効果を奏し得る。
【図面の簡単な説明】
【００１８】
【図１】本技術の第１の実施の形態における通信システム１０の構成例を示す図である。
【図２】本技術の第１の実施の形態における情報処理装置２００の表示部２８０および音声出力部２９０から出力される広告情報の出力例を示す図である。
【図３】本技術の第１の実施の形態における情報処理装置１００の機能構成例を示すブロック図である。
【図４】本技術の第１の実施の形態におけるプロファイル情報記憶部１１０の記憶内容の一例を模式的に示す図である。
【図５】本技術の第１の実施の形態における広告活動情報記憶部１２０の記憶内容の一例を模式的に示す図である。
【図６】本技術の第１の実施の形態における広告情報記憶部１３０の記憶内容の一例を模式的に示す図である。
【図７】本技術の第１の実施の形態における表示部１８０に表示される広告媒体選択画面の一例（広告媒体選択画面５００）を示す図である。
【図８】本技術の第１の実施の形態における情報処理装置２００の機能構成例を示すブロック図である。
【図９】本技術の第１の実施の形態における広告情報記憶部２２０の記憶内容の一例を模式的に示す図である。
【図１０】本技術の第１の実施の形態における表示部２８０に表示される広告選択画面の一例（広告選択画面５１０）を示す図である。
【図１１】本技術の第１の実施の形態における広告情報提供装置３００から情報処理装置２００が広告情報を取得する場合の取得例を示す図である。
【図１２】本技術の第１の実施の形態における情報処理装置２００を有する人物２１と、情報処理装置２００に表示される広告を見る人物２２との関係例を示す図である。
【図１３】本技術の第１の実施の形態における情報処理装置１４に表示される表示画面の一例（広告評価画面５２０）を示す図である。
【図１４】本技術の第１の実施の形態における通信システム１０を構成する各装置間における通信処理例を示すシーケンスチャートである。
【図１５】本技術の第１の実施の形態における通信システム１０を構成する各装置間における通信処理例を示すシーケンスチャートである。
【図１６】本技術の第１の実施の形態における情報処理装置２００による効果測定処理の処理手順の一例を示すフローチャートである。
【図１７】本技術の第１の実施の形態における情報処理装置２００、２０１から出力される広告情報に関するクーポン情報を取得する場合の取得例を示す図である。
【図１８】本技術の第１の実施の形態における情報処理装置３１に表示される表示画面の一例（広告評価画面５３０）を示す図である。
【図１９】本技術の第２の実施の形態における情報処理装置２００を有する広告媒体となる人物４０があるパフォーマンスをしている場合の例を示す図である。
【図２０】本技術の実施の形態の変形例における情報処理装置２００、６００の使用例を示す図である。
【図２１】本技術の実施の形態の変形例における情報処理装置６１０の装着例および使用例を示す図である。
【図２２】本技術の実施の形態の変形例における情報処理装置６２０、６３０の使用例を示す図である。
【図２３】本技術の実施の形態の変形例における情報処理装置６４０の使用例を示す図である。
【図２４】本技術の実施の形態の変形例における情報処理装置６５０、６６０の使用例を示す図である。
【図２５】本技術の実施の形態の変形例における情報処理装置６７０の使用例を示す図である。
【発明を実施するための形態】
【００１９】
以下、本技術を実施するための形態（以下、実施の形態と称する）について説明する。説明は以下の順序により行う。
１．第１の実施の形態（人物を広告媒体として広告活動を行う例）
２．第２の実施の形態（広告効果が高いと推定される広告活動にインセンティブを与える例）
３．変形例
【００２０】
＜１．第１の実施の形態＞
［通信システムの構成例］
図１は、本技術の第１の実施の形態における通信システム１０の構成例を示す図である。
【００２１】
通信システム１０は、ネットワーク１１と、基地局１２と、広告主側情報処理装置１３と、情報処理装置１４と、情報処理装置１５と、情報処理装置１００と、情報処理装置２００と、広告情報提供装置３００とを備える。
【００２２】
ネットワーク１１は、電話網、インターネット等の公衆回線網である。
【００２３】
基地局１２は、無線通信を利用して、ネットワーク１１と、情報処理装置１４、１５、情報処理装置２００とのそれぞれとを接続するための基地局である。無線通信として、例えば、３Ｇ（3rd Generation）、ＬＴＥ（Long Term Evolution）、ＬＴＥ−Ａ（LTE-Advanced）、Ｗｉ−Ｆｉ（登録商標）（Wireless Fidelity）等の通信機能を利用することができる。
【００２４】
広告主側情報処理装置１３は、広告を依頼する依頼主（例えば、会社、個人事業主）により使用される情報処理装置である。例えば、広告主側情報処理装置１３は、依頼主による操作入力に基づいて、広告を依頼するための広告依頼情報をネットワーク１１を介して情報処理装置１００に送信する。なお、広告主側情報処理装置１３は、例えば、パーソナルコンピュータにより実現される。
【００２５】
情報処理装置１４は、人物２２に使用される情報処理装置である。また、情報処理装置１５は、人物２３に使用される情報処理装置である。情報処理装置１４、１５は、例えば、携帯電話、スマートフォン、タブレット端末、専用端末により実現される。
【００２６】
情報処理装置１００は、広告媒体となる人物２１を管理するとともに、人物２１が有する情報処理装置２００から出力される広告情報に関する管理を行うものである。例えば、情報処理装置１００は、広告主側情報処理装置１３から送信された広告依頼情報に対応する広告情報（例えば、図２に示す表示部２８０の表示画面、音声情報２９１）を情報処理装置２００から出力させるための処理を行う。また、情報処理装置１００は、情報処理装置２００から出力されている広告情報に関する効果測定情報（例えば、図９に示す効果測定情報２２６）を情報処理装置２００から取得する。また、情報処理装置２００から出力されている広告情報を取得した人物（広告を見る人物２２、２３）が有する情報処理装置１４、１５から、その広告情報に関する評価情報を取得する。そして、情報処理装置１００は、情報処理装置２００から取得した効果測定情報と、情報処理装置１４、１５から取得した評価情報とに基づいて、広告主側情報処理装置１３から送信された広告依頼情報に対応する効果レポート情報を生成する。そして、情報処理装置１００は、その生成された効果レポート情報を広告主側情報処理装置１３に送信する。また、情報処理装置１００は、効果レポート情報に応じて広告主側情報処理装置１３から送信された支払情報を参照して、広告媒体となった人物２１に支払を行うための支払情報を、情報処理装置２００に送信する。
【００２７】
情報処理装置２００は、広告媒体となる人物２１により使用される広告媒体側の情報処理装置（例えば、Ｗｅａｒａｂｌｅ型次世代モバイルデバイス）である。本技術の第１の実施の形態では、人物２１が着ている服の前面に装着される平面形状の電子機器を情報処理装置２００として示す。また、情報処理装置２００は、撮像部２３０および表示部２８０を備える。なお、撮像部２３０および表示部２８０については、図８を参照して詳細に説明する。また、表示部２８０における画像情報の表示例については、図２に示す。なお、情報処理装置２００は、特許請求の範囲に記載の出力装置の一例である。
【００２８】
広告情報提供装置３００は、情報処理装置１００から送信される広告情報を記憶しておき、この記憶されている広告情報を他の情報処理装置（例えば、情報処理装置２００）に近距離無線通信（非接触無線通信）を利用して送信する機器である。広告情報提供装置３００は、例えば、街頭や観光地に設置される情報処理装置である。なお、広告情報提供装置３００の使用例については、図１１に示す。
【００２９】
なお、図１では、ネットワーク１１に接続される各装置を１つのみ示すが、各装置が２以上の場合についても同様に適用することができる。
【００３０】
［広告情報の表示例］
図２は、本技術の第１の実施の形態における情報処理装置２００の表示部２８０および音声出力部２９０（図８に示す）から出力される広告情報の出力例を示す図である。
【００３１】
図２に示すように、情報処理装置２００の一の面には撮像部２３０および表示部２８０が備えられる。そして、情報処理装置１００から送信された広告情報に対応する画像情報を表示部２８０に表示するとともに、その広告情報に対応する音声情報２９１を音声出力部２９０から出力する。ここで、表示部２８０への表示対象となる広告の素材は、チラシやパンフレット等の静止画や動画とすることができる。なお、情報処理装置２００は、例えば、曲がる有機ＥＬディスプレイにより実現される。
【００３２】
［情報処理装置の構成例］
図３は、本技術の第１の実施の形態における情報処理装置１００の機能構成例を示すブロック図である。
【００３３】
情報処理装置１００は、プロファイル情報記憶部１１０と、広告活動情報記憶部１２０と、広告情報記憶部１３０と、通信部１４０と、操作受付部１５０と、抽出部１６０と、制御部１７０と、表示部１８０とを備える。
【００３４】
プロファイル情報記憶部１１０は、広告媒体として登録されている人物に関するプロファイル情報を記憶するものであり、記憶されているプロファイル情報を制御部１７０に供給する。なお、プロファイル情報記憶部１１０の記憶内容については、図４を参照して詳細に説明する。
【００３５】
広告活動情報記憶部１２０は、広告媒体として登録されている人物により行われる広告活動に関する情報（広告活動情報）を記憶するものであり、記憶されている広告活動情報を制御部１７０に供給する。なお、広告活動情報記憶部１２０の記憶内容については、図５を参照して詳細に説明する。
【００３６】
広告情報記憶部１３０は、広告媒体として登録されている人物が有する情報処理装置から出力させる広告情報を記憶するものであり、記憶されている広告情報を制御部１７０に供給する。なお、広告情報記憶部１３０の記憶内容については、図６を参照して詳細に説明する。
【００３７】
通信部１４０は、ネットワーク１１と接続され、制御部１７０の制御に基づいて、他の装置との間で各種情報の通信を行うものである。通信部１４０は、例えば、ネットワーク１１を介して、広告主側情報処理装置１３と接続される。また、通信部１４０は、例えば、ネットワーク１１、基地局１２を介して、情報処理装置１４、１５、２００と接続される。そして、通信部１４０は、広告主側情報処理装置１３や、情報処理装置１４、１５、２００との間で各種情報の通信を行う。例えば、通信部１４０は、広告主側情報処理装置１３や、情報処理装置１４、１５、２００から送信される情報をネットワーク１１を介して受信すると、その情報を制御部１７０に供給する。また、例えば、通信部１４０は、制御部１７０から出力された情報を他の装置にネットワーク１１を介して送信する。
【００３８】
操作受付部１５０は、ユーザにより行われた操作入力を受け付ける操作受付部であり、受け付けられた操作入力に応じた操作情報を、制御部１７０に出力する。操作受付部１５０は、例えば、タッチパネル、キーボード（または、タッチパネル上のバーチャルキーボード）、マウスにより実現される。
【００３９】
抽出部１６０は、制御部１７０の制御に基づいて、広告主から送信された広告依頼情報に対応する広告情報の送信先（広告媒体として登録されている人物）を抽出するものであり、その抽出結果を制御部１７０に出力する。具体的には、抽出部１６０は、出力対象となる広告情報に関する出力条件と、プロファイル情報記憶部１１０のプロファイル情報とに基づいて、その出力条件を満たす人物を抽出する。ここで、広告情報に関する出力条件は、例えば、広告媒体となる人物の外見、広告場所、広告期間である。なお、この抽出例については、図４、図１４を参照して詳細に説明する。
【００４０】
制御部１７０は、制御プログラムに基づいて情報処理装置１００の各部を制御するものである。制御部１７０は、例えば、ＣＰＵにより実現される。
【００４１】
例えば、制御部１７０は、抽出部１６０により抽出された人物が有する出力装置（例えば、情報処理装置２００）から広告情報を出力させるための制御を行う。具体的には、制御部１７０は、広告情報を出力することを選択するための広告選択情報をその出力装置に送信する。また、制御部１７０は、広告選択情報の送信後に、広告情報を出力することを選択した旨を示す選択情報をその出力装置から受信したことを条件に、広告情報をその出力装置に送信してその出力装置から広告情報を出力させる。
【００４２】
また、例えば、制御部１７０は、その出力装置からの広告情報の出力に関する効果の測定結果に基づく効果測定情報をその出力装置から取得する。また、制御部１７０は、その出力装置から出力されている広告情報を見た人物による広告情報の出力に関する評価を示す評価情報を他の情報処理装置から取得する。そして、制御部１７０は、効果測定情報および評価情報に基づいて、抽出部１６０により抽出された人物に関する格付け情報を生成する。また、制御部１７０は、その生成された格付け情報に基づいて、出力装置からの広告情報の出力に対する人物（抽出部１６０により抽出された人物）への報酬を決定する。
【００４３】
また、例えば、制御部１７０は、出力装置から広告情報が出力されている間に広告情報に関する関連情報（例えば、クーポン情報）の取得要求を他の情報処理装置から受信した場合にはその関連情報を他の情報処理装置に送信する。
【００４４】
また、例えば、制御部１７０は、近距離無線通信を利用して他の装置との間で情報のやりとりを行う広告情報提供装置３００に広告情報を記憶させる。そして、制御部１７０は、広告情報提供装置３００から出力装置（例えば、情報処理装置２００）に広告情報を近距離無線通信を利用して送信させて出力装置から広告情報を出力させることができる。
【００４５】
表示部１８０は、制御部１７０の制御に基づいて各種情報を表示する表示部である。表示部１８０には、例えば、プロファイル情報記憶部１１０にプロファイル情報を記憶する際に用いられるプロファイル情報登録画面が表示される。なお、表示部１８０として、例えば、有機ＥＬ（Electro Luminescence）パネル、ＬＣＤ（Liquid Crystal Display）パネル等の表示パネルを用いることができる。
【００４６】
［プロファイル情報記憶部の記憶内容例］
図４は、本技術の第１の実施の形態におけるプロファイル情報記憶部１１０の記憶内容の一例を模式的に示す図である。
【００４７】
プロファイル情報記憶部１１０は、広告媒体となる人物に関する情報（プロファイル情報）を人物毎に記憶して管理する記憶部である。具体的には、プロファイル情報記憶部１１０には、個人識別情報１１１と、個人属性情報１１２と、行動情報１１３と、外見情報１１４と、格付け情報１１５とが人物毎に関連付けて記憶される。なお、プロファイル情報記憶部１１０は、特許請求の範囲に記載のプロファイル情報管理部の一例である。
【００４８】
個人識別情報１１１は、広告媒体となる人物を識別するための識別情報である。例えば、広告媒体となる人物が有する情報処理装置に付与されている識別情報（例えば、端末ＩＤ）が個人識別情報１１１に格納される。また、情報処理装置１００は、個人識別情報１１１に格納されている個人識別情報に基づいて、広告媒体となる人物が有する情報処理装置に各情報を送信することができる。
【００４９】
個人属性情報１１２は、広告媒体となる人物の属性に関する情報である。個人属性情報１１２には、例えば、性別、年齢、職業等が個人属性情報として格納される。また、個人属性情報１１２には、広告媒体となる人物による操作入力により入力された情報をそのまま格納することができる。
【００５０】
行動情報１１３は、広告媒体となる人物の行動に関する情報である。行動情報１１３には、例えば、活動エリア、活動内容、交通手段等が行動情報として格納される。ここで、活動エリアは、例えば、広告媒体となる人物が主に活動するエリアである。また、活動内容は、例えば、広告媒体となる人物が主に活動する内容である。また、交通手段は、例えば、広告媒体となる人物が主に利用する交通手段（例えば、電車、バス、道路名）である。また、行動情報１１３には、広告媒体となる人物による操作入力により入力された情報をそのまま格納することができる。なお、行動情報１１３については、広告媒体となる人物による広告活動により取得される効果測定情報に基づいて適宜修正するようにしてもよい。
【００５１】
外見情報１１４は、広告媒体となる人物の外見に関する情報である。外見情報１１４には、例えば、ヘアスタイル、ファッション、体型、似ている有名人、特徴等が外見情報として格納される。ここで、外見情報については、広告情報に応じて広告媒体となる人物を適切に抽出するため、広告媒体となる人物の主観的な情報ではなく、客観的な情報を格納しておくことが重要である。そこで、情報処理装置１００を管理する管理者が、広告媒体となる人物による操作入力により入力された情報を参照して、外見情報１１４への情報を格納することが好ましい。
【００５２】
例えば、広告媒体としての登録を所望する人物は、個人属性情報１１２および行動情報１１３に格納するための各情報とともに、自己の写真（例えば、顔写真、全身の前後の写真）を情報処理装置１００に送信する。このように、各情報（個人属性情報１１２、行動情報１１３、自己の写真）を受信した場合には、情報処理装置１００の制御部１７０は、これらの各情報を含むプロファイル情報登録画面を表示部１８０に表示させる。そして、情報処理装置１００を管理する管理者は、プロファイル情報登録画面に含まれる各情報（例えば、写真）を参照して、外見情報１１４への情報を入力することができる。
【００５３】
この各情報（個人属性情報１１２、行動情報１１３、自己の写真）の送信処理は、例えば、各個人が有する情報処理装置（例えば、情報処理装置２００）を用いて行うことができる。また、他の機器（例えば、ゲームセンター、コンビニエンスストア、観光地に設置されている機器（例えば、その場で写真を撮ってシールにする機器））を用いて情報処理装置１００への送信処理を行うようにしてもよい。
【００５４】
格付け情報１１５は、広告媒体となる人物による広告活動に対する格付けを示す情報である。なお、格付け情報１１５については、図５に示す格付け情報１２５を参照して詳細に説明する。
【００５５】
このように、プロファイル情報は、管理対象となる人物の属性に関する個人属性情報１１２と、その人物の行動に関する行動情報１１３と、その人物の外見に関する外見情報１１４とを含む。そして、抽出部１６０は、プロファイル情報に含まれる各情報のうちから、出力条件を満たす情報を抽出し、この抽出された情報に対応する人物を抽出する。例えば、出力条件として「只野ユウジ」似の人物が設定されている場合には、抽出部１６０は、個人識別情報１１１の「Ｐ０００１」に対応する人物を抽出する。
【００５６】
なお、この例では、広告媒体となる人物に、情報処理装置１００を管理する管理者が会わずにプロファイル情報を登録する例を示した。ただし、例えば、情報処理装置１００を管理する管理者が、広告媒体となる人物を募集してオーディションを行い、このオーディションに合格した人物のみを広告媒体となる人物として登録するようにしてもよい。
【００５７】
［広告活動情報記憶部の記憶内容例］
図５は、本技術の第１の実施の形態における広告活動情報記憶部１２０の記憶内容の一例を模式的に示す図である。
【００５８】
広告活動情報記憶部１２０は、広告媒体となる人物の広告活動に関する情報（広告活動情報）を広告活動毎に記憶する記憶部である。具体的には、広告活動情報記憶部１２０には、個人識別情報１２１と、広告識別情報１２２と、効果測定情報１２３と、評価情報１２４と、格付け情報１２５とが広告活動毎に関連付けて記憶される。なお、格付け情報１２５には、図４に示すプロファイル情報記憶部１１０の格付け情報１１５と同一の情報が格納される。
【００５９】
個人識別情報１２１は、広告媒体となる人物を識別するための識別情報である。なお、個人識別情報１２１は、図４に示す個人識別情報１１１に対応する。
【００６０】
広告識別情報１２２は、広告情報を識別するための識別情報である。例えば、広告主からの広告依頼情報を受信した受信順に、例えば、通し番号が識別情報として付与される。
【００６１】
効果測定情報１２３は、広告媒体となる人物による広告活動により取得される効果測定情報である。この効果測定情報は、広告媒体となる人物が有する情報処理装置から送信される。
【００６２】
評価情報１２４は、広告媒体となる人物による広告活動により取得される評価情報である。この評価情報は、広告媒体となる人物以外の他の人物が有する情報処理装置から送信される。すなわち、効果測定情報は、広告媒体となる人物が有する情報処理装置から送信されるのに対し、評価情報は、他の人物が有する情報処理装置から送信される。
【００６３】
格付け情報１２５は、広告媒体となる人物による広告活動に対する格付けを示す情報である。すなわち、格付け情報１１５は、広告媒体となる人物のランクを示す情報である。例えば、このランクに応じて、広告媒体となる人物への報酬が決定される。例えば、ランクの上位者（上位１０パーセントの人物）には、そのランクに応じて通常の報酬の１．５乃至２倍の報酬とすることができる。また、例えば、ランクの下位者（下位１０パーセントの人物）には、通常の報酬の０．５乃至０．８倍の報酬とすることができる。
【００６４】
この格付け情報は、例えば、情報処理装置１００を管理する管理者が、効果測定情報１２３および評価情報１２４のそれぞれを参照して決定される情報である。なお、格付け情報については、例えば、効果測定情報１２３および評価情報１２４のそれぞれに基づいて自動で計算して求めるようにしてもよい。例えば、効果測定情報１２３および評価情報１２４のそれぞれに格納されている情報を数値化し、この数値化された情報の演算（例えば、加算）を行うことにより格付け情報を算出することができる。
【００６５】
このように、広告活動情報記憶部１２０は、出力装置（例えば、情報処理装置２００）からの広告情報の出力に関する効果の測定結果に基づく効果測定情報を管理する広告活動情報管理部である。また、広告活動情報記憶部１２０は、出力装置（例えば、情報処理装置２００）から出力されている広告情報を見た人物による広告情報の出力に関する評価を示す評価情報を管理する広告活動情報管理部である。すなわち、広告活動情報記憶部１２０は、特許請求の範囲に記載の広告活動情報管理部の一例である。
【００６６】
［広告情報記憶部の記憶内容例］
図６は、本技術の第１の実施の形態における広告情報記憶部１３０の記憶内容の一例を模式的に示す図である。
【００６７】
広告情報記憶部１３０は、広告主から依頼された広告に関する情報（広告情報）を広告毎に記憶する記憶部である。具体的には、広告情報記憶部１３０には、広告識別情報１３１と、画像情報１３２と、音声情報１３３と、プロファイル情報１３４と、付随情報１３５とが広告毎に関連付けて記憶される。なお、これらの各情報は、広告主（例えば、広告主側情報処理装置１３）から送信される広告依頼情報に含まれるものとする。
【００６８】
広告識別情報１３１は、広告情報を識別するための識別情報である。なお、広告識別情報１３１は、図５に示す広告識別情報１２２に対応する。
【００６９】
画像情報１３２は、広告を画像として表示するための情報（画像データ）である。なお、図６では、説明の容易のため、画像情報１３２として、表示対象となる画像のみを示す。
【００７０】
音声情報１３３は、広告を音声として出力するための情報（音声データ）である。なお、図６では、説明の容易のため、音声情報１３３として、出力対象となる音声の文字のみを示す。
【００７１】
プロファイル情報１３４は、広告がターゲットとしている人物のプロファイルに関する情報である。このプロファイル情報は、例えば、広告の効果測定情報を生成する場合に用いられる。
【００７２】
付随情報１３５は、広告に関する付随情報である。例えば、広告に対して支払う費用、広告を出すエリア、広告を行う時間帯、広告に関するクーポン情報等が付随情報として格納される。
【００７３】
［広告媒体選択画面の表示例］
図７は、本技術の第１の実施の形態における表示部１８０に表示される広告媒体選択画面の一例（広告媒体選択画面５００）を示す図である。
【００７４】
広告媒体選択画面５００は、例えば、行動情報および外見情報を選択することにより、この選択された各情報に対応する人物を抽出するための表示画面である。すなわち、広告媒体選択画面５００は、広告媒体となる人物として登録されている複数の人物の中から、広告情報の出力を依頼する人物を抽出するための出力条件を設定する表示画面である。
【００７５】
例えば、情報処理装置１００を管理する管理者は、広告媒体選択画面５００において、広告情報の出力を依頼する人物を抽出するための選択操作を行う。例えば、管理者は、行動情報および外見情報のうちの必要となる各項目について選択操作を行う。
【００７６】
このように選択操作が行われた場合には、抽出部１６０は、制御部１７０の制御に基づいて、プロファイル情報記憶部１１０にプロファイル情報が記憶されている人物の中から、その選択操作に対応する人物を抽出する。例えば、抽出部１６０は、その選択操作により選択された各項目に一致する人物をプロファイル情報記憶部１１０から抽出する。すなわち、抽出部１６０は、出力対象となる広告情報に関する出力条件と、プロファイル情報記憶部１１０のプロファイル情報とに基づいて、複数の人物のうちからその出力条件を満たす人物を抽出する。そして、抽出部１６０は、その抽出された人物に関する情報（例えば、個人識別情報）を制御部１７０に出力する。
【００７７】
なお、この例では、広告媒体選択画面５００を情報処理装置１００の表示部１８０に表示させる例を示したが、例えば、広告主側情報処理装置１３の表示部に表示させるようにしてもよい。このように、広告媒体選択画面５００を広告主側情報処理装置１３の表示部に表示させることにより、広告主が所望する人物（広告媒体となる人物）を直接選択することができる。これにより、例えば、広告対象となる製品やサービスを訴求したい広告媒体を選択することができ、より精度の高い広告活動を行うことができる。
【００７８】
例えば、昼間に人通りが全くない場所（例えば、住宅街）で集中的に広告したいような場合でも、広告媒体選択画面５００を用いてその場所を指定することにより、そのような場所でも適切に広告を出すことができる。また、例えば、広告媒体のパラメータを調整して、広告を集中させたい場所を設定することができる。
【００７９】
［広告媒体側の情報処理装置の構成例］
図８は、本技術の第１の実施の形態における情報処理装置２００の機能構成例を示すブロック図である。
【００８０】
情報処理装置２００は、無線通信部２１０と、アンテナ２１１と、広告情報記憶部２２０と、撮像部２３０と、位置情報取得部２４０と、姿勢検出部２５０と、操作受付部２６０と、制御部２７０と、表示部２８０と、音声出力部２９０とを備える。
【００８１】
無線通信部２１０は、制御部２７０の制御に基づいて、無線通信を利用して、他の情報処理装置（例えば、情報処理装置１００、広告情報提供装置３００）との間で各情報の送受信をアンテナ２１１を介して行うものである。なお、本技術の第１の実施の形態では、無線通信部２１０は、複数の通信モードで無線通信を行うことが可能である例を示す。
【００８２】
例えば、複数の通信モードのうちの１つの通信モード（第１通信モード）では、基地局１２（図１に示す）を介した無線通信を行うものとする。この無線通信として、例えば、３Ｇ（3rd Generation）、ＬＴＥ（Long Term Evolution）、ＬＴＥ−Ａ（LTE-Advanced）、Ｗｉ−Ｆｉ（登録商標）（Wireless Fidelity）等を利用することができる。
【００８３】
また、例えば、複数の通信モードのうちの他の通信モード（第２通信モード）では、近距離無線通信（非接触無線通信）を利用して他の情報処理装置（例えば、広告情報提供装置３００）との間で通信を行うものとする。この近距離無線通信として、例えば、通信距離が数十ｃｍ程度に限定されている無線通信（例えば、ＮＦＣ（Near Field Communication））を利用することができる。
【００８４】
広告情報記憶部２２０は、情報処理装置１００から送信された広告情報（出力対象となる広告情報）を記憶するものであり、記憶されている広告情報を制御部２７０に供給する。また、広告情報記憶部２２０は、広告情報が出力されている間に取得された効果測定情報を順次記憶する。なお、広告情報記憶部２２０の記憶内容については、図９を参照して詳細に説明する。
【００８５】
撮像部２３０は、被写体を撮像して画像（画像データ）を生成するものであり、生成された画像を制御部２７０に出力する。撮像部２３０は、例えば、光学系（複数のレンズ）、撮像素子、信号処理部により構成される。
【００８６】
位置情報取得部２４０は、情報処理装置２００が存在する位置を特定するための情報（位置情報）を取得するものであり、取得された位置情報を制御部２７０に出力する。この位置情報は、例えば、緯度、経路、高度である。位置情報取得部２４０は、例えば、ＧＰＳ（Global Positioning System）信号を受信して緯度、経度、高度を算出するＧＰＳ受信機により実現される。また、位置情報取得部２４０は、外部ネットワークを介して位置情報を取得するようにしてもよい。例えば、位置情報取得部２４０は、外部ネットワークを介して他の情報処理装置（例えば、通信事業者が運営する通信制御装置）から位置情報を取得することができる。また、例えば、位置情報取得部２４０は、通信事業者が運営する基地局、または、無線ＬＡＮのアクセスポイントの識別情報に対応する位置に関する情報（位置情報）を取得することができる。なお、これらの取得方法以外の他の取得方法により位置情報を取得するようにしてもよい。
【００８７】
姿勢検出部２５０は、情報処理装置１００の加速度、動き、傾き等を検出することにより情報処理装置１００の姿勢の変化を検出するものであり、検出された姿勢の変化に関する姿勢情報を、制御部２７０に出力する。姿勢検出部２５０として、例えば、情報処理装置１００の姿勢の変化を検出することができるセンサ（例えば、ジャイロセンサ、加速度センサ、角速度センサ）を用いることができる。
【００８８】
操作受付部２６０は、ユーザにより行われた操作入力を受け付ける操作受付部であり、受け付けられた操作入力に応じた操作情報を、制御部２７０に出力する。操作受付部２６０は、例えば、タッチパネル、キーボード（または、タッチパネル上のバーチャルキーボード）、マウスにより実現される。
【００８９】
制御部２７０は、制御プログラムに基づいて情報処理装置２００の各部を制御するものである。制御部２７０は、例えば、ＣＰＵにより実現される。
【００９０】
例えば、制御部２７０は、広告情報の出力に関する効果を測定し、この測定結果に基づいて効果測定情報を生成する。この場合に、制御部２７０は、その測定結果と、広告情報の出力に対する人物（広告媒体となる人物）の活動状態とに基づいて効果測定情報を生成することができる。ここで、人物の活動状態は、例えば、広告情報の出力時の情報処理装置２００の移動距離、広告情報の出力時の情報処理装置２００の場所、広告情報の出力時間の少なくとも１つとすることができる。
【００９１】
また、例えば、制御部２７０は、広告情報の出力に関する効果として表示部２８０に表示されている広告情報を見ている人物の視線を検出し、この検出結果に基づいて効果測定情報を生成することができる。
【００９２】
また、例えば、制御部２７０は、表示部２８０に広告情報が表示されている間に広告情報に関する関連情報の取得要求を他の情報処理装置（例えば、図１に示す情報処理装置１４）から受信した場合には、その関連情報を他の情報処理装置に送信する。ここで、その関連情報は、人物の広告情報の出力に関する評価を行うための広告評価画面（例えば、図１３に示す広告評価画面５２０）を他の情報処理装置に表示させるための情報である。また、その関連情報は、広告情報に対応する広告に関するクーポン情報としても把握することができる。
【００９３】
表示部２８０は、制御部２７０の制御に基づいて各種画像（例えば、広告情報記憶部２２０に記憶されている画像情報２２２（図９に示す））を表示する表示部である。なお、表示部２８０として、例えば、有機ＥＬパネル、ＬＣＤパネル等の表示パネルを用いることができる。
【００９４】
音声出力部２９０は、制御部２７０の制御に基づいて各種音声（例えば、広告情報記憶部２２０に記憶されている音声情報２２３（図９に示す））を出力する音声出力部（例えば、スピーカ）である。
【００９５】
このように、表示部２８０および音声出力部２９０は、人物または人物が有する物に装着される出力部であって広告情報を出力する出力部に対応する。なお、表示部２８０および音声出力部２９０は、特許請求の範囲に記載の出力部の一例である。
【００９６】
［広告情報記憶部の記憶内容例］
図９は、本技術の第１の実施の形態における広告情報記憶部２２０の記憶内容の一例を模式的に示す図である。
【００９７】
広告情報記憶部２２０は、出力対象となる広告に関する情報（広告情報）を広告毎に記憶する記憶部である。具体的には、広告情報記憶部２２０には、広告識別情報２２１と、画像情報２２２と、音声情報２２３と、プロファイル情報２２４と、付随情報２２５と、効果測定情報２２６とが広告毎に関連付けて記憶される。
【００９８】
なお、広告識別情報２２１、画像情報２２２、音声情報２２３、プロファイル情報２２４および付随情報２２５については、図６に示す広告識別情報１３１、画像情報１３２、音声情報１３３、プロファイル情報１３４および付随情報１３５に対応する。また、効果測定情報２２６は、図５に示す効果測定情報１２３に対応する。このため、これらの各情報についての詳細な説明を省略する。
【００９９】
また、広告識別情報２２１、画像情報２２２、音声情報２２３、プロファイル情報２２４および付随情報２２５は、情報処理装置１００から送信されて格納される情報である。また、効果測定情報２２６は、情報処理装置２００を用いた広告活動の間に測定されて格納される情報である。
【０１００】
［広告選択画面の表示例］
図１０は、本技術の第１の実施の形態における表示部２８０に表示される広告選択画面の一例（広告選択画面５１０）を示す図である。
【０１０１】
広告選択画面５１０は、例えば、広告媒体となる人物が、情報処理装置１００から送信される広告情報を選択するための表示画面である。
【０１０２】
例えば、情報処理装置１００の制御部１７０は、抽出部１６０により抽出された人物が有する情報処理装置（例えば、情報処理装置２００）に広告情報を送信する。ただし、広告媒体となる人物は、時間帯、好み等により、情報処理装置１００から送信される全ての広告情報を出力できないことも想定される。そこで、情報処理装置１００は、広告情報の送信対象として抽出された情報処理装置に、その広告情報の出力をするか否かを選択するための広告選択情報を送信する。この広告選択情報を情報処理装置２００が受信すると、情報処理装置２００の制御部２７０は、受信した広告選択情報に基づいて、広告選択画面を表示部２８０に表示させる。例えば、広告選択画面５１０が表示部２８０に表示される。
【０１０３】
広告選択画面５１０には、広告情報選択アイコン５１１乃至５１６と、確定ボタン５１７と、戻るボタン５１８とが表示される。
【０１０４】
広告情報選択アイコン５１１乃至５１６は、広告情報の内容を表すアイコンである。例えば、広告情報に対応する画像情報、広告活動に対する報酬、広告時間、広告エリア等を含むアイコンが表示される。例えば、広告媒体となる人物２１は、広告活動を行うことを所望する広告情報に対応する広告情報選択アイコンの押下操作を行うことによりその所望する広告情報を選択することができる。
【０１０５】
確定ボタン５１７は、広告情報選択アイコン５１１乃至５１６について、その選択操作を確定させる際に押下されるボタンである。すなわち、広告媒体となる人物２１は、広告活動を行うことを所望する広告情報に対応する広告情報選択アイコンの押下操作を行い、確定ボタン５１７の押下操作を行うことにより、その選択操作を確定させることができる。
【０１０６】
戻るボタン５１８は、直前の画面に戻る場合に押下されるボタンである。
【０１０７】
［広告情報提供装置からの広告情報の取得例］
図１１は、本技術の第１の実施の形態における広告情報提供装置３００から情報処理装置２００が広告情報を取得する場合の取得例を示す図である。
【０１０８】
広告情報提供装置３００は、近距離無線通信部３１０、３２０を備える。また、広告情報提供装置３００は、ネットワーク１１を介して情報処理装置１００から送信される広告情報を記憶する記憶部（図示せず）を備える。そして、広告情報提供装置３００は、その記憶されている広告情報を他の情報処理装置に近距離無線通信部３１０、３２０を介して送信する。
【０１０９】
例えば、広告情報提供装置３００は、比較的小さい情報処理装置（例えば、図２１に示す情報処理装置６１０）については、スタンプ台形式の近距離無線通信部３１０を介して広告情報を送信することができる。また、例えば、広告情報提供装置３００は、比較的大きい情報処理装置（例えば、情報処理装置２００）については、側面に設けられている近距離無線通信部３２０を介して広告情報を送信することができる。例えば、情報処理装置２００を近距離無線通信部３２０にタッチするタッチ操作を行うことにより情報処理装置２００は広告情報を取得することができる。
【０１１０】
また、広告情報提供装置３００は、例えば、街頭や観光地に設置される。例えば、広告情報提供装置３００を観光地に設置する場合には、観光地に設置されているスタンプ台（例えば、その場所を訪れた記念のスタンプを押すためのスタンプ台）の周辺に設置することができる。また、例えば、広告情報提供装置３００を街中に設置する場合には、駅周辺の施設、喫茶店、コンビニエンスストア、自動販売機等に設置することができる。
【０１１１】
ここで、上述したように、情報処理装置２００は、３ＧやＬＴＥ等の無線通信を利用して広告情報を取得することができる。このように広告情報を取得する場合には、その無線通信を利用することが可能な場所に情報処理装置２００が存在すれば、その広告情報を取得することができる。すなわち、情報処理装置２００は、比較的広範囲の場所で広告情報を取得することができる。
【０１１２】
しかしながら、特定の場所において広告をしないと意味がない広告も存在する。例えば、渋谷駅のハチ公前でのみ効果が期待できる広告については、その場所（渋谷駅のハチ公前）において広告活動を行うことが重要となる。そこで、そのような広告情報については、３ＧやＬＴＥ等の無線通信を利用して広告情報を提供せずに、広告情報提供装置３００による近距離無線通信（非接触無線通信）を利用した提供のみとする。これにより、広告媒体となる人物は、広告情報提供装置３００が設置されている場所に行かないと、その広告情報を取得することができない。このため、広告情報提供装置３００が設置されている場所に行かない情報処理装置に、その広告情報を提供することを防止することができる。これにより、広告活動の信頼性を高めることができる。
【０１１３】
また、例えば、飲食店の店内に広告情報提供装置３００を設置し、広告媒体となる人物がこの店から出る際に、その人物が有する情報処理装置に広告情報を送信するようにしてもよい。この場合には、広告媒体となる人物が店から出て、すれ違う人達に、その店の広告情報を提供することができる。この場合に、すれ違う人を検出し、人とすれ違う度に、広告情報として「この店は美味しかったな！」と音声出力するようにしてもよい。このすれ違う人の検出は、例えば、撮像部２３０により生成される画像を用いた顔検出処理により行うことができる。
【０１１４】
また、例えば、所定範囲内で飲食店を検索している人を検出し、この人とすれ違う度に、広告情報として「この店は美味しかったな」と音声出力するようにしてもよい。ここで、飲食店の検索をしている人の検出は、例えば、位置情報を用いた検出方法を用いることができる。例えば、情報処理装置１００は、広告媒体側の情報処理装置の位置情報と、検索側の情報処理装置の位置情報とを取得する。そして、情報処理装置１００は、広告媒体側の情報処理装置の位置から所定範囲内に存在する検索側の情報処理装置を検出し、その検出結果を広告媒体側の情報処理装置に送信する。この検出結果に基づいて、広告媒体側の情報処理装置は、広告情報の音声出力を行うことができる。
【０１１５】
また、このように店から出てから広告情報を出力する場合には、その店から所定範囲（例えば、１ｋｍ）内を広告情報の出力範囲として制限するようにしてもよい。
【０１１６】
［広告媒体となる人物と広告を見る人物との関係例］
図１２は、本技術の第１の実施の形態における情報処理装置２００を有する人物２１と、情報処理装置２００に表示される広告を見る人物２２との関係例を示す図である。
【０１１７】
図１２では、情報処理装置２００を有する人物２１が歩行により移動して広告活動を行う例を示す。図１２に示すように、情報処理装置２００を有する人物２１が歩行により移動すると、その進行方向に存在する人物２２が、表示部２８０に表示される広告情報を見ることになる。また、その進行方向に存在する人物２２は、音声出力部２９０から出力される音声情報２９１を聞くこともできる。
【０１１８】
このように、情報処理装置２００から出力される広告情報に興味がある場合には、人物２２は、その広告情報に関するクーポン情報を取得することができる。例えば、人物２２は、情報処理装置１４を用いて所定操作を行うことにより、その広告情報に関するクーポン情報を取得することができる。この所定操作は、例えば、情報処理装置１４を所定回以上振る操作（ふりふり操作）、情報処理装置１４を情報処理装置２００に接触させる操作（タッチ操作）、情報処理装置１４を用いて情報処理装置２００に表示されている広告を撮影する操作とすることができる。
【０１１９】
［ふりふり操作によりクーポン情報を取得する例］
最初に、ふりふり操作によりクーポン情報を取得する例について説明する。例えば、情報処理装置２００の制御部２７０は、広告情報を出力している場合に、定期的または不定期に位置情報取得部２４０により取得された位置情報を、ネットワーク１１を介して情報処理装置１００に送信するものとする。
【０１２０】
例えば、図１２に示す状態で、情報処理装置２００から出力されている広告情報を見ている人物２２が、情報処理装置１４のふりふり操作を行う場合を想定する。この場合には、情報処理装置１４の制御部は、クーポン情報の取得要求と位置情報取得部により取得された位置情報とを、ネットワーク１１を介して情報処理装置１００に送信する。クーポン情報の取得要求および位置情報を受信した場合には、情報処理装置１００の制御部１７０は、その受信した位置情報と、広告情報を出力している情報処理装置から送信された位置情報とを比較する。そして、情報処理装置１００の制御部１７０は、その比較結果に基づいて、何れの広告情報に関するクーポン情報の取得要求であるか否かを判断する。
【０１２１】
例えば、情報処理装置１００の制御部１７０は、クーポン情報の取得要求とともに受信した位置情報により特定される位置（視聴位置）から所定範囲（例えば、１０ｍ）内に存在する情報処理装置（広告情報を出力している情報処理装置）を抽出する。すなわち、情報処理装置１００の制御部１７０は、その視聴位置と、広告情報を出力している情報処理装置から送信された位置情報により特定される位置（広告位置）との距離が所定範囲内であるか否かに基づいてその抽出処理を行う。具体的には、情報処理装置１００の制御部１７０は、その視聴位置から所定範囲（例えば、１０ｍ）内に存在する情報処理装置（広告情報を出力している情報処理装置）を、広告活動情報記憶部１２０に登録されている情報処理装置の中から抽出する。続いて、情報処理装置１００の制御部１７０は、その抽出された情報処理装置が出力している広告情報に関連付けて広告情報記憶部１３０に格納されている各情報を、ネットワーク１１を介して情報処理装置１４に送信する。広告情報記憶部１３０に格納されている各情報として、例えば、図６に示す広告識別情報１３１、付随情報１３５（例えば、クーポン情報）が送信される。
【０１２２】
例えば、図１２に示す例では、情報処理装置２００が存在する位置（広告位置）と、情報処理装置１４が存在する位置（視聴位置）との距離が所定範囲内であるものとする。このため、情報処理装置１００の制御部１７０は、広告活動情報記憶部１２０の中から情報処理装置２００を抽出する。続いて、情報処理装置１００の制御部１７０は、その抽出された情報処理装置２００が出力している広告情報に関連付けて広告情報記憶部１３０に格納されている各情報を、ネットワーク１１を介して情報処理装置１４に送信する。
【０１２３】
このように、情報処理装置１４のふりふり操作を行う場合には、２つの装置の位置情報に基づいてクーポン情報を取得することができる。
【０１２４】
［近距離無線通信を利用してクーポン情報を取得する例］
例えば、図１２に示す状態で、情報処理装置２００から出力されている広告情報を見ている人物２２が、情報処理装置１４を情報処理装置２００に接触させる操作（タッチ操作）を行う場合を想定する。この場合には、情報処理装置１４の制御部は、近距離無線通信（例えば、ＮＦＣ）を利用してクーポン情報の取得要求を情報処理装置２００に送信する。クーポン情報の取得要求を受信した場合には、情報処理装置２００の制御部２７０は、出力している広告情報に関連付けて広告情報記憶部２２０に格納されているクーポン情報を、近距離無線通信（例えば、ＮＦＣ）を利用して情報処理装置１４に送信する。
【０１２５】
［広告情報の撮影操作によりクーポン情報を取得する例］
例えば、図１２に示す状態で、情報処理装置２００から出力されている広告情報を見ている人物２２が、情報処理装置１４を用いてその広告の撮影を行う場合を想定する。この場合には、情報処理装置１４は、その撮影により生成された画像（画像データ）に関する情報（画像情報）を、ネットワーク１１を介して情報処理装置１００に送信する。その画像情報を受信した場合には、情報処理装置１００の制御部１７０は、その受信した画像情報に最も近い画像情報を含む広告情報を広告情報記憶部１３０から抽出する。
【０１２６】
続いて、情報処理装置１００の制御部１７０は、その抽出された広告情報に関連付けて広告情報記憶部１３０に記憶されている各情報を、ネットワーク１１を介して情報処理装置１４に送信する。
【０１２７】
このように取得されたクーポン情報の表示例を図１３に示す。また、このようにクーポン情報が取得された場合には、そのクーポン情報に対応する広告情報の効果が高いと想定される。このため、例えば、クーポン情報の配布回数（すなわち、クーポン配布回数）をカウントしておき、この配布回数を効果測定情報として用いるようにしてもよい。
【０１２８】
［広告評価画面の表示例］
図１３は、本技術の第１の実施の形態における情報処理装置１４に表示される表示画面の一例（広告評価画面５２０）を示す図である。
【０１２９】
広告評価画面５２０は、例えば、情報処理装置２００から出力されている広告情報に関するクーポン情報を取得した場合に表示される表示画面である。
【０１３０】
広告評価画面５２０には、クーポン情報表示領域５２１と、評価ボタン５２２、５２３と、戻るボタン５２４とが表示される。
【０１３１】
クーポン情報表示領域５２１は、取得されたクーポン情報に関する画像情報を表示するための領域である。
【０１３２】
評価ボタン５２２、５２３は、取得されたクーポン情報に関する広告情報を出力している情報処理装置を有する人物（広告媒体となる人物）を評価する際に押下するボタンである。例えば、その人物を見てがんばっていると感じた場合には、評価ボタン５２２を押下することによりその旨の評価情報が情報処理装置１４から情報処理装置１００に送信される。また、例えば、クーポン情報表示領域５２１に表示されているクーポン情報がいいクーポンであると感じた場合には、評価ボタン５２３を押下することによりその旨の評価情報が情報処理装置１４から情報処理装置１００に送信される。すなわち、情報処理装置１４は、広告評価画面５２０を用いた操作入力に応じて評価情報を情報処理装置１００に送信する。
【０１３３】
戻るボタン５２４は、直前に表示されていた表示画面を表示させる際に押下されるボタンである。
【０１３４】
なお、図１３では、評価ボタン５２２、５２３を用いて広告情報を出力している情報処理装置を有する人物（広告媒体となる人物）を評価する例を示すが、他の評価方法により評価を行うようにしてもよい。例えば、情報処理装置２００の撮像部２３０を用いて評価を行うようにしてもよい。例えば、情報処理装置２００から出力されている広告情報を見ている人物２２は、撮像部２３０に向かってジェスチャーを行うことによりその評価を行うことができる。例えば、人物２２が上向きのグーのジェスチャー（親指を上にするジェスチャー）を行った場合にはプラスの評価とし、人物２２が下向きのグーのジェスチャー（親指を下にするジェスチャー）を行った場合にはマイナスの評価とすることができる。
【０１３５】
このように評価を行う場合には、例えば、情報処理装置２００の制御部２７０は、撮像部２３０により生成された画像について画像認識処理を行うことにより、各ジェスチャーを判定することができる。このジェスチャーの判定方法については、公知の判定方法（例えば、特開２０１１−８５９６６号参照。）を用いることができる。そして、制御部２７０は、その判定結果に基づく評価情報（判定されたジェスチャーに対応する評価情報）を情報処理装置１００にネットワーク１１を介して送信する。
【０１３６】
このように、広告を見る人が、広告媒体である人物による広告活動を評価することができる。また、その評価については、広告情報を管理する管理者が集計して広告媒体である人物に関する待遇に用いることができる。例えば、高い評価を受けた人物（広告媒体となる人物）は、広告活動に対する単価が上がる等の高い待遇を得ることができる。
【０１３７】
［通信例］
図１４および図１５は、本技術の第１の実施の形態における通信システム１０を構成する各装置間における通信処理例を示すシーケンスチャートである。
【０１３８】
最初に、人物２１（図１に示す）は、情報処理装置２００を用いて自己のプロファイルを情報処理装置１００に登録するためのプロファイル登録操作を行う（４０１）。例えば、情報処理装置２００の制御部２７０は、情報処理装置１００からの情報に基づいて、プロファイルの登録操作を行うためのプロファイル登録画面を表示部２８０に表示させる。そして、人物２１は、そのプロファイル登録画面を用いて自己のプロファイルの登録操作を行うことができる（４０１）。例えば、図４に示す各情報（個人属性情報１１２、行動情報１１３）の入力操作や自己の写真（例えば、顔写真、全身の前後の写真）の添付操作を行う。
【０１３９】
続いて、情報処理装置２００の制御部２７０は、情報処理装置１００に登録するためのプロファイル情報をプロファイル登録操作に応じて情報処理装置２００にネットワーク１１を介して送信する（４０２、４０３）。プロファイル情報を受信すると（４０３）、情報処理装置１００の制御部１７０は、受信したプロファイル情報を登録する（４０４）。例えば、情報処理装置１００の制御部１７０は、受信したプロファイル情報のうち、人の判断が必要でない情報（例えば、図４に示す個人属性情報１１２、行動情報１１３）については、プロファイル情報記憶部１１０にそのまま記憶させる。一方、受信したプロファイル情報のうち、人の判断が必要である情報（例えば、図４に示す外見情報１１４）については、受信したプロファイル情報を参照して、情報処理装置１００を管理する管理者が登録する。
【０１４０】
このように、情報処理装置２００を有する人物２１がプロファイル登録操作を行うことにより、人物２１が広告媒体として活動をすることができる。
【０１４１】
また、広告主側情報処理装置１３は、広告依頼情報を情報処理装置１００にネットワーク１１を介して送信する（４０５、４０６）。この広告依頼情報は、広告主が広告主側情報処理装置１３を用いて広告依頼操作を行うことにより情報処理装置１００に送信される（４０５、４０６）。この広告依頼情報には、広告主が依頼する広告に関する情報（例えば、広告情報（広告画像情報、広告音声情報）、広告場所、広告期間、広告に関するクーポン、広告に関する金額）が含まれる。
【０１４２】
広告依頼情報を受信すると（４０６）、情報処理装置１００の抽出部１６０は、受信した広告依頼情報に対応する広告情報の送信先（広告媒体として登録されている人物）を抽出する（４０７）。この抽出処理は、受信した広告依頼情報に基づいて抽出部１６０が自動で行うようにしてもよく、情報処理装置１００を管理する管理者による手動操作（例えば、図７に示す広告媒体選択画面５００を用いた手動操作）により行うようにしてもよい。なお、この抽出手順（４０７）は、特許請求の範囲に記載の抽出手順の一例である。
【０１４３】
例えば、情報処理装置１００の抽出部１６０は、受信した広告依頼情報または手動操作により選択された項目に基づいて、プロファイル情報記憶部１１０に記憶されている個人の中から、適切な広告情報の送信先を抽出する（４０７）。すなわち、報処理装置１００の抽出部１６０は、出力対象となる広告情報に関する出力条件と、プロファイル情報記憶部１１０に記憶されているプロファイル情報とに基づいて、複数の人物のうちから出力条件を満たす人物を抽出する（４０７）。
【０１４４】
例えば、受信した広告依頼情報に基づいて抽出部１６０が自動で抽出を行う場合を想定する。ここでは、図４に示すプロファイル情報記憶部１１０を参照して説明する。
【０１４５】
例えば、化粧品やつけまつげの広告に関する広告依頼情報を受信した場合を想定する。この場合には、抽出部１６０は、個人属性情報１１２の性別に「女性」と登録され、外見情報１１４の特徴に「目が大きい」と登録されている人物（例えば、個人識別情報１１１「Ｐ０００２」の人物）を抽出することができる。また、例えば、整髪剤やひげそりの広告に関する広告依頼情報を受信した場合を想定する。この場合には、抽出部１６０は、個人属性情報１１２の性別に「男性」と登録され、外見情報１１４の特徴に「イケメン」と登録されている人物（例えば、個人識別情報１１１「Ｐ０００３」の人物）を抽出することができる。
【０１４６】
また、例えば、シャンプーや美容室の広告に関する広告依頼情報を受信した場合を想定する。この場合には、抽出部１６０は、個人属性情報１１２の性別に「女性」と登録され、外見情報１１４の特徴に「サラサラヘア」と登録されている人物（例えば、個人識別情報１１１「Ｐ０００４」の人物）を抽出することができる。また、例えば、ハンドクリームの広告に関する広告依頼情報を受信した場合を想定する。この場合には、抽出部１６０は、個人属性情報１１２の性別に「女性」と登録され、外見情報１１４の特徴に「手がきれい」と登録されている人物（例えば、個人識別情報１１１「Ｐ０００５」の人物）を抽出することができる。
【０１４７】
また、例えば、ストッキングの広告に関する広告依頼情報を受信した場合を想定する。この場合には、抽出部１６０は、個人属性情報１１２の性別に「女性」と登録され、外見情報１１４の特徴に「足が細い」と登録されている人物（例えば、個人識別情報１１１「Ｐ０００６」の人物）を抽出することができる。また、例えば、毛染めや美容室の広告に関する広告依頼情報を受信した場合を想定する。この場合には、抽出部１６０は、個人属性情報１１２の性別に「女性」と登録され、外見情報１１４のヘアスタイルに「金髪」と登録されている人物（例えば、個人識別情報１１１「Ｐ０００４」の人物）を抽出することができる。また、例えば、メガネの広告に関する広告依頼情報を受信した場合を想定する。この場合には、抽出部１６０は、外見情報１１４の特徴に「メガネ」と登録されている人物（例えば、個人識別情報１１１「Ｐ０００７」の人物）を抽出することができる。
【０１４８】
また、抽出部１６０は、このように抽出された人物のうちから、プロファイル情報記憶部１１０の個人属性情報１１２、行動情報１１３（図４に示す）を考慮して、広告情報の送信先（広告媒体として登録されている人物）を抽出する（４０７）。
【０１４９】
続いて、情報処理装置１００の制御部１７０は、抽出された送信先（人物）に、その人物が広告媒体として広告情報の出力を行うことを選択するための広告選択情報を送信する（４０８、４０９）。図１４では、送信先として情報処理装置２００が抽出されたものとする。このため、情報処理装置１００の制御部１７０は、広告選択情報を情報処理装置２００にネットワーク１１を介して送信する（４０８、４０９）。
【０１５０】
広告選択情報を受信すると（４０８、４０９）、情報処理装置２００の制御部２７０は、受信した広告選択情報に基づいて、広告選択画面を表示部２８０に表示させる（４１０）。例えば、図１０に示す広告選択画面５１０が表示部２８０に表示される。この広告選択画面を用いて、人物２１が所望の広告を選択するための選択操作を行う（４１１）。例えば、図１０に示す広告選択画面５１０に表示されているＡＢＣハンバーガーの広告（広告情報選択アイコン５１２）が選択される。このように、所望の広告を選択する選択操作が行われた場合には（４１１）、情報処理装置２００の制御部２７０は、その選択操作に係る選択情報を情報処理装置１００にネットワーク１１を介して送信する（４１２、４１３）。
【０１５１】
選択情報を受信すると（４１３）、情報処理装置１００の制御部１７０は、受信した選択情報に対応する広告情報を、その選択情報を送信した情報処理装置２００にネットワーク１１を介して送信する（４１４、４１５）。なお、これらの制御手順（４０８、４１３、４１４）は、特許請求の範囲に記載の制御手順の一例である。
【０１５２】
続いて、情報処理装置２００の制御部２７０は、受信した広告情報を出力する（４１６）。例えば、情報処理装置２００の制御部２７０は、受信した広告情報に画像情報が含まれている場合には、その画像情報を表示部２８０に表示させる（４１６）。また、例えば、情報処理装置２００の制御部２７０は、受信した広告情報に音声情報が含まれている場合には、その音声情報を音声出力部２９０から出力させる（４１６）。例えば、図２に示すように、広告情報が出力される（４１６）。
【０１５３】
他の人物（例えば、図１に示す人物２２）は、このように出力される広告情報を取得することができる。例えば、情報処理装置１４を有する人物２２は、広告情報が画像情報として表示されている場合には、その画像情報を見ることにより、その広告情報を取得することができる（４１８）。また、例えば、人物２２は、広告情報が音声情報として出力されている場合には、その音声情報を聞くことにより、その広告情報を取得することができる（４１８）。
【０１５４】
また、情報処理装置２００の制御部２７０は、広告情報の出力を開始したタイミングで、広告情報の効果を測定するための測定処理を開始する（４１７）。具体的には、情報処理装置２００の制御部２７０は、広告活動情報記憶部１２０の効果測定情報１２３（図５に示す）に格納される各情報の測定を行う（４１７）。なお、この測定処理については、図１６を参照して詳細に説明する。
【０１５５】
また、情報処理装置２００から出力されている広告情報を取得した人物２２は（４１８）、その広告情報の出力を評価するための評価情報を、情報処理装置１００にネットワーク１１を介して送信することができる（４１９、４２０）。例えば、図１３に示す広告評価画面５２０において所望のボタン（評価ボタン５２２、５２３）を押下する押下操作を行うことにより、人物２２が有する情報処理装置１４から情報処理装置１００に評価情報を送信することができる。この場合に、情報処理装置１４は、その押下操作が行われた広告を特定するための広告識別情報（例えば、図６に示す広告識別情報１３１）を評価情報に関連付けて送信する。このように送信された広告識別情報に基づいて、その評価情報がどの広告情報に対応するものであるかを特定することができる。また、情報処理装置１４が存在する位置を特定するための位置情報（例えば、緯度および経度）を評価情報に関連付けて送信し、この位置情報に基づいて、その評価情報がどの広告情報に対応するものであるかを特定するようにしてもよい。
【０１５６】
評価情報を受信すると（４２０）、情報処理装置１００の制御部１７０は、受信した評価情報を、広告活動情報記憶部１２０に記憶させる（４２１）。例えば、図１３に示す広告評価画面５２０おいて評価ボタン５２２の押下操作が行われた場合には、図５に示す広告活動情報記憶部１２０の評価情報１２４の「頑張っているね」に１が加算される。また、例えば、広告評価画面５２０おいて評価ボタン５２３の押下操作が行われた場合には、広告活動情報記憶部１２０の評価情報１２４の「いいクーポンもらったよ」に１が加算される。
【０１５７】
また、情報処理装置２００の制御部２７０は、測定処理により生成された情報（効果測定情報（図５に示す個人識別情報１２１、広告識別情報１２２を含む））を情報処理装置１００にネットワーク１１を介して送信する（４２２、４２３）。この効果測定情報の送信については、例えば、広告情報の出力が終了したタイミングで送信するようにしてもよく、定期的または不定期のタイミングで送信するようにしてもよい。例えば、広告媒体となる人物２１が移動するような場合には、その移動量が一定量を超えたタイミングで送信することができる。
【０１５８】
効果測定情報を受信すると（４２３）、情報処理装置１００の制御部１７０は、受信した効果測定情報を、図５に示す広告活動情報記憶部１２０の効果測定情報１２３に記憶させる（４２４）。
【０１５９】
続いて、情報処理装置１００の制御部１７０は、図５に示す広告活動情報記憶部１２０に記憶されている各情報を分析して広告主に送信する効果レポート情報を生成する（４２５）。この効果レポート情報については、例えば、広告活動情報記憶部１２０に記憶されている各情報（効果測定情報１２３、評価情報１２４）の分析に基づいて自動で生成することができる。例えば、図５に示す効果測定情報１２３、評価情報１２４のそれぞれに格納されている情報を数値化し、この数値化された情報の演算（例えば、加算）を行うことにより効果レポート情報を生成することができる。また、広告活動情報記憶部１２０に記憶されている各情報の一部または全部を、情報処理装置１００を管理する管理者が分析して効果レポート情報を生成するようにしてもよい。
【０１６０】
続いて、情報処理装置１００の制御部１７０は、生成された効果レポート情報を広告主側情報処理装置１３にネットワーク１１を介して送信する（４２６、４２７）。効果レポート情報を受信すると（４２７）、広告主側情報処理装置１３は、受信した広告レポート情報を参照して、広告媒体となった人物に支払を行うための支払情報を情報処理装置１００にネットワーク１１を介して送信する（４２８、４２９）。
【０１６１】
支払情報を受信すると（４２９）、情報処理装置１００の制御部１７０は、受信した支払情報を参照して、広告媒体となった人物２１に支払を行うための支払情報を、情報処理装置２００にネットワーク１１を介して送信する（４３０、４３１）。この支払情報は、例えば、格付け情報（例えば、図４に示す格付け情報１１５、図５に示す格付け情報１２５）を考慮して決定される。また、広告媒体側の情報処理装置の表示部のサイズ（表示面積）をプロファイル情報に関連付けて記憶しておき、この表示部のサイズを考慮して支払情報を決定するようにしてもよい。例えば、表示部のサイズが閾値を基準として大きい場合には、インセンティブを加算して支払情報を決定することができる。
【０１６２】
また、情報を考慮して報酬を決定するようにしてもよい。例えば、渋谷駅周辺で５時間広告した人と、ほとんど人がいない田舎で５時間広告した人とでは、広告効果が異なるため、これらを考慮して報酬を決定するようにしてもよい。渋谷駅周辺で５時間広告した人については、高いインセンティブを加算し、ほとんど人がいない田舎で５時間広告した人については、低いインセンティブを加算する。また、一度に集中して広告することにより、広告効果を高めることができる。このため、一度に集中して広告する場所での広告に参加した人物には、高いインセンティブを与えるようにしてもよい。これにより、高い報酬を求めて広告媒体となる人物が集まるため、広告効果をさらに高めることができる。
【０１６３】
なお、支払情報については、広告活動が終了する毎に送信するようにしてもよく、一定期間毎（例えば、１週間毎、１月毎）に送信するようにしてもよい。
【０１６４】
また、支払情報に基づく報酬（広告媒体となった人物への報酬）については、現金以外に、クーポン（例えば、広告に関するクーポン（割引券））、現物（広告した商品）、ポイント（広告に関するポイント）とすることができる。また、例えば、特定の場所で広告活動を行った人物については、その特定の場所で配布される広告の商品を報酬とすることができる。
【０１６５】
［広告媒体側の情報処理装置の動作例］
図１６は、本技術の第１の実施の形態における情報処理装置２００による効果測定処理の処理手順の一例を示すフローチャートである。図１６では、一定時間以上、同一の視線を検出した場合に、その検出回数をカウントして視線数とする例を示す。
【０１６６】
また、効果測定処理は、広告活動の開始時から広告活動の終了時まで行われるものとする。ここで、広告活動を開始するタイミングについて説明する。例えば、図９に示す広告情報記憶部２２０の付随情報２２５の広告時間帯となった場合に自動で広告情報を開始（広告情報の出力を開始）するようにしてもよい。また、広告媒体となる人物により、広告活動を開始する手動操作が行われた場合に、広告情報を開始するようにしてもよい。
【０１６７】
最初に、制御部２７０は、位置情報取得部２４０により取得された位置情報を、広告情報記憶部２２０の効果測定情報２２６（図９に示す）に記録する（ステップＳ９００）。この場合に、制御部２７０は、位置情報取得部２４０により取得された位置情報に基づいて情報処理装置２００が存在する場所を特定するようにしてもよい。この場合には、その特定された場所に関する情報（例えば、地名）を、広告情報記憶部２２０の効果測定情報２２６の活動場所として記録するようにしてもよい。また、制御部２７０は、広告活動の活動時間を計測するためのカウントを開始する。
【０１６８】
続いて、制御部２７０は、撮像部２３０により生成された画像を取得し、この画像について視線検出処理を行う（ステップＳ９０１）。
【０１６９】
ここで、視線検出処理について説明する。例えば、制御部２７０は、撮像部２３０により生成された画像から人物の顔を検出する顔検出処理を行う。この顔検出方法として、例えば、顔の輝度分布情報が記録されているテンプレートと実画像とのマッチングによる顔検出方法（例えば、特開２００４−１３３６３７参照。）、画像データに含まれる肌色の部分や人間の顔の特徴量等に基づいた顔検出方法等を用いることができる。また、例えば、制御部２７０は、撮像部２３０により生成された画像から人物の顔が検出された場合には、その顔に含まれる黒目を検出する黒目検出処理を行う。この黒目検出方法として、例えば、顔検出方法と同様に、黒目の輝度分布情報が記録されているテンプレートと実画像とのマッチングによる黒目検出方法等を用いることができる。また、例えば、制御部２７０は、その顔から黒目が検出された場合には、視線を検出したと判断することができる。
【０１７０】
なお、例えば、制御部２７０は、撮像部２３０により生成された画像のうちの所定範囲（例えば、真ん中部分）から検出された人物の顔についてのみ視線検出の対象とするようにしてもよい。この場合に、制御部２７０は、その顔から検出された黒目の位置（目全体における位置）が所定位置（例えば、真ん中部分）であることを条件に、視線を検出したと判断するようにしてもよい。
【０１７１】
また、他の方法により視点を検出するようにしてもよい。例えば、アイトラッキング（視線解析）方法により視点を検出することができる。
【０１７２】
続いて、制御部２７０は、視線を検出したか否かを判断する（ステップＳ９０２）。視線を検出していない場合には（ステップＳ９０２）、制御部２７０は、カウント（視線検出時間のカウント）中であるか否かを判断する（ステップＳ９０３）。そして、カウント中でない場合には（ステップＳ９０３）、ステップＳ９００に戻る。一方、カウント中である場合には（ステップＳ９０３）、制御部２７０は、カウントを終了させ（ステップＳ９０４）、ステップＳ９００に戻る。
【０１７３】
また、視線を検出した場合には（ステップＳ９０２）、制御部２７０は、カウント中であるか否かを判断する（ステップＳ９０５）。そして、カウント中である場合には（ステップＳ９０５）、ステップＳ９０７に進む。一方、カウント中でない場合には（ステップＳ９０５）、制御部２７０は、視線検出時間のカウントを開始させる（ステップＳ９０６）。
【０１７４】
続いて、制御部２７０は、カウントが閾値以上であるか否かを判断する（ステップＳ９０７）。そして、カウントが閾値未満である場合には（ステップＳ９０７）、ステップＳ９００に戻る。一方、カウントが閾値以上である場合には（ステップＳ９０７）、制御部２７０は、視線検出時間のカウントを終了させる（ステップＳ９０８）。
【０１７５】
続いて、制御部２７０は、カウントが閾値以上となった視線を送っていた人物に関するプロファイルを検出するプロファイル検出処理を行う（ステップＳ９０９）。
【０１７６】
ここで、人物に関するプロファイルを検出する検出方法について説明する。
【０１７７】
例えば、制御部２７０は、検出すべきプロファイルに関する情報（プロファイル情報）を保持する。そして、制御部２７０は、保持されているプロファイル情報を用いて、撮像部２３０により生成された画像に含まれる人物（カウントが閾値以上となった視線を送っていた人物）のプロファイルを検出する。
【０１７８】
例えば、プロファイルを検出する検出方法として、マッチング処理を用いた検出方法を用いることができる。このマッチング処理は、比較対象となる２つの画像における特徴量を比較してこの比較結果に基づいて、２つの画像における特徴量の類似度を算出し、この類似度に基づいて、２つの画像が一致するか否かを判定する処理である。例えば、算出された類似度が閾値未満である場合には、比較対象となる２つの画像が不一致であると判定され、算出された類似度が閾値以上である場合には、比較対象となる２つの画像が一致すると判定される。このマッチング処理として、例えば、各対象物（例えば、子供、性別、年齢に応じた顔）の輝度分布情報が記録されているテンプレートと実画像とのマッチングによる判定方法（例えば、特開２００４−１３３６３７参照。）を用いることができる。また、画像に含まれる肌色の部分や人間の顔の特徴量等に基づいた判定方法を用いることができる。
【０１７９】
また、他の検出方法を用いるようにしてもよい。例えば、人物の顔を含む画像（顔画像）における２点間の輝度の差分値を用いた弱判別器により各属性（例えば、子供、性別、年齢）を検出する検出方法を用いることができる（例えば、特開２００９−１１８００９号参照。）。
【０１８０】
続いて、制御部２７０は、検出されたプロファイルと、広告情報のターゲットとなるプロファイル（例えば、図９に示す広告情報記憶部２２０のプロファイル情報２２４）とが一致するか否かを判断する（ステップＳ９１０）。そして、それらのプロファイルが一致しない場合には（ステップＳ９１０）、ステップＳ９１２に進む。一方、それらのプロファイルが一致する場合には（ステップＳ９１０）、制御部２７０は、出力されている広告情報に関連付けて、累積視線数に１を加算する（ステップＳ９１１）。例えば、図９に示す広告情報記憶部２２０の効果測定情報２２６の視線数に１が加算される（ステップＳ９１１）。
【０１８１】
ここで、制御部２７０は、検出されたプロファイルを順次保持しておき、出力されている広告情報をどのような人物が見ているかを集計するようにしてもよい。そして、制御部２７０は、このように集計されたプロファイル情報（例えば、広告情報を見た人の性別、年齢別の総数）を効果測定情報に含めて情報処理装置１００に送信することができる（ステップＳ９１４）。
【０１８２】
続いて、制御部２７０は、広告活動が終了したか否かを判断する（ステップＳ９１２）。例えば、図９に示す広告情報記憶部２２０の付随情報２２５の広告時間帯が経過したか否かが判断される（ステップＳ９１２）。なお、広告媒体となる人物の手動操作により、広告活動を終了するようにしてもよい。
【０１８３】
そして、広告活動が終了していない場合には（ステップＳ９１２）、ステップＳ９００に戻る。一方、広告活動が終了した場合には（ステップＳ９１２）、制御部２７０は、広告活動の開始時に取得された位置情報と、広告活動の終了直前に取得された位置情報とに基づいて情報処理装置２００が移動した距離を算出する（ステップＳ９１３）。そして、制御部２７０は、その算出された距離を、広告情報記憶部２２０の効果測定情報２２６の移動距離（図９に示す）に記録する。また、制御部２７０は、広告活動の開始時からの活動時間を計測し、この活動時間を、広告情報記憶部２２０の効果測定情報２２６の活動時間に記録する。また、制御部２７０は、これら以外の効果測定情報についても取得して記録するようにしてもよい。なお、広告活動を行っている人物が道を往復しているような場合や、曲がっている道を歩いているような場合も想定される。そこで、制御部２７０は、広告活動の開始時および終了直前に取得された各位置情報に基づく移動距離の算出以外に、広告活動中に所定間隔で取得された位置情報に基づく移動距離の算出を行い、この移動距離を記録するようにしてもよい。
【０１８４】
続いて、制御部２７０は、広告活動について記録された効果測定情報を情報処理装置１００にネットワーク１１を介して送信する（ステップＳ９１４）。
【０１８５】
なお、累積視線数として加算された人物については、それ以降の視線検出処理で検出されないようにすることが好ましい。このため、例えば、制御部２７０は、プロファイル検出処理で用いられた人物の顔を含む顔画像を保持しておき、この保持された顔画像に含まれる顔と同一の顔については、視線検出処理の対象としないようにすることができる。
【０１８６】
また、この例では、視線検出処理およびプロファイル検出処理を広告媒体側の情報処理装置２００が行う例を示した。ただし、これらの各処理の全部または一部を他の装置（例えば、情報処理装置１００）に実行させるようにしてもよい。この場合には、情報処理装置２００は、撮像部２３０により生成された画像（画像データ）を他の装置に送信し、この他の装置による各処理の結果を取得して効果測定処理を行うことができる。
【０１８７】
また、図１６では、広告時間帯の経過や終了操作により広告活動を終了する例を示した。ここで、例えば、所定時間（例えば、１４分）以上、視線を検出していない場合には、その場所での広告活動が適切でないことも考えられる。そこで、所定時間以上、視線を検出していない場合には、制御部２７０は、自動的に広告活動を終了させるようにしてもよい。この場合には、例えば、制御部２７０は、広告活動を終了させる旨のメッセージを出力（表示、音声出力）させることができる。また、例えば、制御部２７０は、所定時間以上、視線を検出していない場合には、場所を変更して広告活動を行うことを促すメッセージを出力（表示、音声出力）させるようにしてもよい。
【０１８８】
［広告媒体となる人物が複数存在する場合のクーポン情報の取得例］
以上では、広告媒体となる１人の人物２１が広告活動を行う例を示した。ここで、例えば、比較的狭い範囲において広告媒体となる複数の人物が広告活動を行うことも想定される。そこで、以下では、比較的狭い範囲において広告媒体となる複数の人物が広告活動を行っている場合に、広告を見る人物がそれらの広告活動のクーポン情報を取得する場合の例を示す。
【０１８９】
図１７は、本技術の第１の実施の形態における情報処理装置２００、２０１から出力される広告情報に関するクーポン情報を取得する場合の取得例を示す図である。なお、情報処理装置２０１の構成については、図１に示す情報処理装置２００と同一であるものとする。また、撮像部２３１および表示部２８１は、撮像部２３０および表示部２８０に対応する。また、情報処理装置３１の構成についても、図１に示す情報処理装置２１、２２と同一であるものとする。
【０１９０】
図１７では、広告を見る人物３２が、情報処理装置２００、２０１から出力されている広告情報に関する各クーポン情報をふりふり操作を行うことにより取得する場合の例を示す。また、クーポン情報の取得後に、人物３２が、これらの広告情報の評価を行う場合の例を示す。
【０１９１】
例えば、情報処理装置２００、２０１から出力される広告情報を見ている人物３２は、情報処理装置３１を用いてふりふり操作を行う。このようにふりふり操作が行われた場合には、上述したように、情報処理装置３１の制御部は、クーポン情報の取得要求と位置情報取得部により取得された位置情報とを、ネットワーク１１を介して情報処理装置１００に送信する。クーポン情報の取得要求および位置情報を受信した場合には、情報処理装置１００の制御部１７０は、その受信した位置情報と、広告情報を出力している情報処理装置から送信された位置情報とを比較する。そして、情報処理装置１００の制御部１７０は、その比較結果に基づいて、何れの広告情報に関するクーポン情報の取得要求であるか否かを判断する。
【０１９２】
ここで、図１７に示す例では、情報処理装置２００が存在する位置（広告位置）と、情報処理装置３１が存在する位置（視聴位置）との距離が所定範囲内であるものとする。同様に、情報処理装置２０１が存在する位置（広告位置）と、その視聴位置との距離が所定範囲内であるものとする。このため、情報処理装置１００の制御部１７０は、広告活動情報記憶部１２０の中から情報処理装置２００、２０１のそれぞれを抽出する。続いて、情報処理装置１００の制御部１７０は、その抽出された情報処理装置２００、２０１が出力している広告情報に関連付けて広告情報記憶部１３０に格納されている各クーポン情報を、ネットワーク１１を介して情報処理装置３１に送信する。
【０１９３】
このように、情報処理装置３１のふりふり操作を行うことにより、２つの広告情報に関するクーポン情報を同時に取得することができる。また、このように取得されたクーポン情報の表示例を図１８に示す。
【０１９４】
なお、情報処理装置２００における視線検出処理に関する各情報を情報処理装置１００に順次送信し、この視線検出処理の結果に基づいてクーポン情報のダウンロードを行うようにしてもよい。例えば、視線検出処理において、視線が検出されて視線検出時間のカウントが開始された場合には、情報処理装置２００の制御部２７０は、その旨を示す情報（カウント開始情報）を情報処理装置１００に送信する。この場合に、情報処理装置１００の制御部１７０は、カウント開始情報の受信時から所定時間（例えば、１０秒）以内に、クーポン情報の取得要求を受信した場合にのみクーポン情報を送信することができる。例えば、情報処理装置１００の制御部１７０は、そのカウント開始情報を送信した情報処理装置２００から出力されている広告情報に関するクーポン情報を、そのクーポン情報の取得要求を送信した情報処理装置に送信することができる。
【０１９５】
［広告評価画面の表示例］
図１８は、本技術の第１の実施の形態における情報処理装置３１に表示される表示画面の一例（広告評価画面５３０）を示す図である。
【０１９６】
広告評価画面５３０は、例えば、情報処理装置２００、２０１から出力されている広告情報に関するクーポン情報を取得した場合に表示される表示画面である。
【０１９７】
広告評価画面５３０には、クーポン情報表示領域５３１、５３４と、評価ボタン５３２、５３３、５３５、５３６と、戻るボタン５３７とが表示される。なお、クーポン情報表示領域５３１、５３４は、図１３に示すクーポン情報表示領域５２１に対応する。また、評価ボタン５３２、５３５は、図１３に示す評価ボタン５２２に対応し、評価ボタン５３３、５３６は、図１３に示す評価ボタン５２３に対応する。また、戻るボタン５３７は、図１３に示す戻るボタン５２４に対応する。
【０１９８】
このように、情報処理装置２００、２０１から出力される広告情報を見ている人物３２は、広告評価画面５３０を用いて、所望の広告情報を出力している情報処理装置を有する人物（広告媒体となる人物）を評価することができる。
【０１９９】
なお、図１８では、情報処理装置３１が存在する位置から所定範囲内に存在する情報処理装置２００、２０１の各クーポン情報を同時に取得する例を示すが、例えば、人物３２が所望するクーポン情報のみを取得するようにしてもよい。例えば、クーポン情報を取得する前に、クーポン情報のリストを表示するためのリスト情報を情報処理装置１００から情報処理装置３１が取得する。続いて、情報処理装置３１は、そのリスト情報に基づいて、所望のクーポン情報を選択するためのクーポン選択画面を表示する。続いて、情報処理装置３１は、そのクーポン選択画面において選択されたクーポン情報を取得するためのクーポン情報の取得要求を情報処理装置１００に送信する。これにより、情報処理装置３１は、所望のクーポン情報のみを取得することができる。
【０２００】
＜２．第２の実施の形態＞
本技術の第１の実施の形態では、視線数、移動距離、活動場所、活動時間等を効果測定情報として用いる例を示した。ここで、例えば、広告媒体となる人物があるパフォーマンスをしているような場合には広告効果が高いと推定される。そこで、広告効果が高いと推定される広告活動を行っている人物には、インセンティブを与え、広告媒体となる人物の意欲をさらに高めることが重要である。
【０２０１】
そこで、本技術の第２の実施の形態では、広告効果が高いと推定される広告活動にインセンティブを与える例を示す。なお、本技術の第２の実施の形態における通信システムを構成する各装置は、図１に示す通信システム１０を構成する各装置に対応する。このため、本技術の第２の実施の形態における各装置については、本技術の第１の実施の形態と同一の符号を付してこれらの説明の一部を省略する。
【０２０２】
［広告媒体となる人物があるパフォーマンスをしている場合の例］
図１９は、本技術の第２の実施の形態における情報処理装置２００を有する広告媒体となる人物４０があるパフォーマンスをしている場合の例を示す図である。
【０２０３】
図１９に示すように、情報処理装置２００を有する広告媒体となる人物４０があるパフォーマンス（例えば、ダンス）をしている場合には、この広告活動に対してインセンティブを与えるようにする。例えば、ダンスをしている場合には、その動き（姿勢の変化）が姿勢検出部２５０により検出される。この場合には、制御部２７０は、姿勢検出部２５０により検出され姿勢の変化に関する姿勢情報に基づいて、広告活動に対してインセンティブを決定することができる。例えば、制御部２７０は、姿勢の変化が閾値を基準として大きい期間が所定期間継続した場合（例えば、激しいダンスを長時間している場合）には、高いインセンティブを決定することができる。また、制御部２７０は、このように決定されたインセンティブを、図９に示す広告情報記憶部２２０に効果測定情報として格納する。すなわち、制御部２７０は、姿勢検出部２５０により検出された姿勢の変化に基づいて人物４０の活動状態を判定し、この判定結果に基づいて効果測定情報を生成することができる。また、制御部２７０は、格納されたインセンティブを効果測定情報として情報処理装置１００に送信する。そして、情報処理装置１００は、そのインセンティブを考慮して格付け情報や報酬を決定することができる。
【０２０４】
これにより、例えば、あるパフォーマンス（よく踊る、よく走る）をしながら広告活動をしている人物に対して適切な評価を行うことができる。
【０２０５】
また、他の方法を用いてあるパフォーマンスの有無を判定するようにしてもよい。例えば、生体センサを用いて判定することができる。例えば、汗を検出することが可能な生体センサを用いて汗の量を検出する。そして、例えば、制御部２７０は、汗の量に基づいて、インセンティブを決定することができる。例えば、制御部２７０は、汗の量が閾値を基準として多い場合（例えば、激しいダンスをしている場合）には、高いインセンティブを決定することができる。
【０２０６】
また、他の活動内容（例えば、ランニング、ストリートダンス、集団行動による広告活動、カップルによる広告活動）を判定し、この判定結果に基づいてインセンティブを決定するようにしてもよい。
【０２０７】
＜３．変形例＞
本技術の第１および第２の実施の形態では、広告媒体となる人物が着ている服に広告媒体側の情報処理装置２００を装着する例を示した。ただし、広告媒体となる人物に関する他の部分に広告媒体側の情報処理装置を装着するようにしてもよい。また、広告媒体となる人物が個人的に使用するもの（例えば、乗り物）に広告媒体側の情報処理装置を装着するようにしてもよい。
【０２０８】
そこで、本技術の実施の形態の変形例では、広告媒体となる人物に関する他の部分や広告媒体となる人物が個人的に使用するもの（例えば、乗り物）に広告媒体側の情報処理装置を装着する例を示す。
【０２０９】
［広告媒体側の情報処理装置を帽子に装着する例］
図２０は、本技術の実施の形態の変形例における情報処理装置２００、６００の使用例を示す図である。なお、情報処理装置２００は、図１等に示す情報処理装置２００と同様である。
【０２１０】
情報処理装置６００は、帽子に装着される情報処理装置であり、撮像部６０１、表示部６０２および音声出力部（図示せず）を備える。なお、撮像部６０１、表示部６０２および音声出力部（図示せず）のそれぞれは、情報処理装置２００の同一名称の各部に対応する。このため、ここでの詳細な説明を省略する。
【０２１１】
また、図２０では、情報処理装置２００および６００を同時に使用する例を示すが、情報処理装置６００のみを使用するようにしてもよい。また、情報処理装置２００および６００を同時に使用する場合には、各装置が備える音声出力部からの音声情報２９１、６０３を同期して出力させることが好ましい。また、情報処理装置２００および６００を同時に使用する場合には、各装置が備える音声出力部のうちの何れか１つからの音声出力のみを出力させるようにしてもよい。
【０２１２】
［広告媒体側の情報処理装置を腕に装着する例］
図２１は、本技術の実施の形態の変形例における情報処理装置６１０の装着例および使用例を示す図である。具体的には、図２１のａには、情報処理装置６１０の装着例を示し、図２１のｂには、情報処理装置６１０の使用例を示す。
【０２１３】
情報処理装置６１０は、人物の腕２４に装着される情報処理装置（例えば、腕時計型のスマートフォン）であり、撮像部６１１、表示部６１２および音声出力部（図示せず）を備える。なお、撮像部６１１、表示部６１２および音声出力部（図示せず）のそれぞれは、情報処理装置２００の同一名称の各部に対応する。このため、ここでの詳細な説明を省略する。
【０２１４】
ここで、情報処理装置６１０は、例えば、その所有者による使用の有無に応じて広告情報の出力を制御するようにしてもよい。例えば、所有者による情報処理装置６１０の使用が開始された場合（例えば、電子メール操作、Ｗｅｂサイトの閲覧）には、広告情報の出力を停止させる。一方、所有者による情報処理装置６１０の使用が終了した場合には、広告情報の出力を開始するように制御することができる。
【０２１５】
ここで、図２１のｂには、電車内での情報処理装置６１０の使用例を示す。このように、情報処理装置６１０が電車等の公共交通機関（例えば、バス、船、飛行機）内に存在する場合には、音声出力部からの音声出力を停止させるようにすることが好ましい。例えば、情報処理装置６１０の制御部（図示せず）は、位置情報取得部により取得された位置情報に基づいて情報処理装置６１０が公共交通機関の運行経路内に存在するか否かを判断することができる。また、情報処理装置６１０の制御部（図示せず）は、位置情報取得部により取得された位置情報に基づいて情報処理装置６１０の移動速度を算出し、この移動速度に基づいて、情報処理装置６１０が公共交通機関内に存在するか否かを判断するようにしてもよい。
【０２１６】
図２１のｂに示すように、例えば、吊革につかまっている腕２４に情報処理装置６１０が装着されている。この場合には、例えば、情報処理装置６１０は、表示部６１２に表示される広告情報を、情報処理装置６１０を装着している人物の隣に乗っている人物２５に見せることができる。このため、情報処理装置６１０を装着している人物は、例えば、通勤時でも容易に広告活動を行うことができる。これにより、情報処理装置６１０を装着している人物は、例えば、通勤時でも容易に広告活動による収入を得ることができる。
【０２１７】
［広告媒体側の情報処理装置をネックストラップおよびバックに装着する例］
図２２は、本技術の実施の形態の変形例における情報処理装置６２０、６３０の使用例を示す図である。
【０２１８】
情報処理装置６２０は、ネックストラップに装着される情報処理装置であり、撮像部６２１、表示部６２２および音声出力部（図示せず）を備える。また、情報処理装置６３０は、バック（例えば、紙袋）に装着される情報処理装置であり、撮像部６３１、表示部６３２および音声出力部（図示せず）を備える。なお、撮像部６２１、６３１、表示部６２２、６３２および音声出力部（図示せず）のそれぞれは、情報処理装置２００の同一名称の各部に対応する。このため、ここでの詳細な説明を省略する。
【０２１９】
また、図２２では、情報処理装置６２０および６３０を同時に使用する例を示すが、何れか１つのみを使用するようにしてもよい。また、情報処理装置６２０および６３０を同時に使用する場合には、各装置が備える音声出力部からの音声情報６２３、６３３を同期して出力させるようにすることが好ましい。また、情報処理装置６２０および６３０を同時に使用する場合には、各装置が備える音声出力部のうちの何れか１つからの音声出力のみを出力させるようにしてもよい。
【０２２０】
［広告媒体側の情報処理装置を靴に装着する例］
図２３は、本技術の実施の形態の変形例における情報処理装置６４０の使用例を示す図である。
【０２２１】
情報処理装置６４０は、靴に装着される情報処理装置であり、撮像部６４１、６４２、表示部６４３、６４４および音声出力部（図示せず）を備える。なお、撮像部６４１、６４２、表示部６４３、６４４および音声出力部（図示せず）のそれぞれは、情報処理装置２００の同一名称の各部に対応する。このため、ここでの詳細な説明を省略する。
【０２２２】
また、図２３では、１組の靴の双方に撮像部および表示部を設ける例を示すが、何れか一方のみに撮像部および表示部を設けるようにしてもよい。また、例えば、表示部については、１組の靴の双方に設け、撮像部および音声出力部（図示せず）については、何れか一方のみに設けるようにしてもよい。
【０２２３】
また、図２３では、靴の前側部分に情報処理装置６４０を装着する例を示すが、他の部分（例えば、靴の側面部分、靴の後側部分）に情報処理装置６４０を装着するようにしてもよい。
【０２２４】
［広告媒体側の情報処理装置を自転車に装着する例］
図２４は、本技術の実施の形態の変形例における情報処理装置６５０、６６０の使用例を示す図である。
【０２２５】
情報処理装置６５０は、自転車の前カゴに装着される情報処理装置であり、撮像部６５１、表示部６５２および音声出力部（図示せず）を備える。また、情報処理装置６６０は、自転車の前側の車輪部分（例えば、左右）に装着される情報処理装置であり、撮像部６６１、表示部６６２および音声出力部（図示せず）を備える。なお、撮像部６５１、６６１、表示部６５２、６６２および音声出力部（図示せず）のそれぞれは、情報処理装置２００の同一名称の各部に対応する。このため、ここでの詳細な説明を省略する。
【０２２６】
また、図２４では、１台の自転車に２つの情報処理装置６５０、６６０を装着する例を示すが、１つの情報処理装置を装着するようにしてもよい。
【０２２７】
また、図２４では、自転車の前カゴおよび前側の車輪部分に情報処理装置６５０、６６０を装着する例を示すが、他の部分（例えば、後側の車輪部分、荷台部分）に情報処理装置を装着するようにしてもよい。
【０２２８】
［広告媒体側の情報処理装置を自動車に装着する例］
図２５は、本技術の実施の形態の変形例における情報処理装置６７０の使用例を示す図である。
【０２２９】
情報処理装置６７０は、自動車の側面（例えば、左右）に装着される情報処理装置であり、撮像部６７１、６７２、表示部６７３、６７４および音声出力部（図示せず）を備える。なお、図２５では、自動車の左側の側面のみを示すが、自動車の右側の側面にも情報処理装置６７０が装着されているものとする。また、撮像部６７１、６７２、表示部６７３、６７４および音声出力部（図示せず）のそれぞれは、情報処理装置２００の同一名称の各部に対応する。このため、ここでの詳細な説明を省略する。
【０２３０】
また、図２５では、１台の自動車の側面の２つのドアに撮像部６７１、６７２、表示部６７３、６７４を装着する例を示すが、１つのドアに撮像部、表示部を装着するようにしてもよい。
【０２３１】
また、図２５では、自動車の側面部分に情報処理装置６７０を装着する例を示すが、他の部分（例えば、前側（例えば、ボンネット）、後側）に情報処理装置を装着するようにしてもよい。
【０２３２】
ここで、自転車や自動車については、高速で移動することが多いため、その移動時には、撮像部により生成される画像を用いた視線検出処理を適切に行うことが困難であることも想定される。このため、例えば、移動時には、視線検出を行わずに、停止時にのみ、視線検出を行うようにしてもよい。
【０２３３】
このように、広告媒体側の情報処理装置の出力部（例えば、表示部、音声出力部）は、人物、人物の服、人物の鞄、人物の靴、人物の体、人物が有する乗り物（例えば、自転車、自動車）のうちの少なくとも一部に装着される。
【０２３４】
このように、本技術の実施の形態によれば、Ｗｅａｒａｂｌｅ型次世代モバイルデバイスを使用した広告ビジネスモデルを実現することができる。例えば、Ｗｅａｒａｂｌｅ型次世代モバイルデバイスを身につけた人物が広告媒体となり、その人物が移動（例えば、街中を移動）することにより、広告を容易に効果的に展開することができる。また、その人物は、その広告活動により広告主から金銭、物品、サービス等の対価を得ることができる。
【０２３５】
また、広告情報を提供する情報処理装置１００の管理者は、広告媒体となる人物のマネジメント、広告主と広告媒体となる人物とのマッチング、広告価値（対価）の決定等を行い、広告ビジネスプラットフォームの運営を行う。すなわち、情報処理装置１００は、広告媒体となる人物が主体的に広告を展開するための出力条件を設定し、プロファイル情報を用いて広告媒体となる人物毎に出力可能な広告をフィルタリングする。これにより、広告媒体となる人物が主体的に広告活動を行い、対価を受けることができるビジネスモデルを提供することができる。
【０２３６】
具体的には、情報処理装置１００は、広告媒体となる人物をプロファイル情報により管理し、このプロファイル情報を用いて広告媒体となる人物と広告主とのマッチングを行う。これにより、広告主の要望に応じた適切な人物（広告媒体となる人物）を選択することができる。このように選択された人物（広告媒体となる人物）には、その旨と出力対象となる広告とを通知して広告情報を選択可能とする。これにより、選択された人物（広告媒体となる人物）が、広告内容を主体的に選択することができる。また、広告主にとっては効果があると考えられる人物（広告媒体となる人物）に主体的に選択させることにより、広告効果を最大化することができる。このように選択された広告を、広告媒体となる人物が広告することにより、その広告（その広告の製品）のイメージアップにつなげることができる。
【０２３７】
また、情報処理装置１００は、広告媒体となる人物が有するデバイス（広告媒体側の情報処理装置）を通じて広告の効果測定を行うことができる。また、この効果測定の結果、他の人物の評価等を考慮して効果測定情報を生成して広告主に送信することができる。
【０２３８】
また、情報処理装置１００の管理者は、広告活動の対価を定め、広告媒体となる人物に対価の選択肢を提示する。この場合に、金銭だけでなく、物品やサービス等の対価（すなわち、広告媒体となる人物の活動に応じた対価）を提示することができる。また、このように広告活動の対価を提供することにより、広告活動の意欲を高めることができる。これにより、広告活動の前には、広告媒体となる人物にやる気を出さるとともに、広告活動後には、広告活動を行った人物に広告活動の内容に応じて適切に報酬を支払うことができる。
【０２３９】
なお、本技術の実施の形態では、一体として構成される情報処理装置（例えば、情報処理装置１００、２００）を例にして説明した。ただし、これらの情報処理装置が備える各部を、複数の装置により構成する情報処理システムについても本技術の実施の形態を適用することができる。例えば、情報処理装置１００の代わりに、ネットワーク上に存在する情報処理システム（例えば、クラウドコンピューティング）を用いることができる。また、広告媒体側の情報処理装置として、表示装置、音声出力装置、無線通信装置のそれぞれが無線通信（例えば、無線ＬＡＮ）を利用して接続される情報処理システムに本技術の実施の形態を適用することができる。
【０２４０】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２４１】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２４２】
なお、本技術は以下のような構成もとることができる。
（１）
複数の人物に関するプロファイル情報を管理するプロファイル情報管理部と、
出力対象となる広告情報に関する出力条件と前記プロファイル情報とに基づいて前記複数の人物のうちから前記出力条件を満たす人物を抽出する抽出部と、
前記抽出された人物が有する出力装置から前記広告情報を出力させるための制御を行う制御部と
を具備する情報処理装置。
（２）
前記プロファイル情報は、管理対象となる人物の属性に関する属性情報と、当該人物の行動に関する行動情報と、当該人物の外見に関する外見情報とを含み、
前記抽出部は、前記プロファイル情報に含まれる各情報のうちから前記出力条件を満たす情報を抽出して前記抽出された情報に対応する人物を抽出する
前記（１）に記載の情報処理装置。
（３）
前記制御部は、前記広告情報を出力することを選択するための広告選択情報を前記出力装置に送信した後に、前記広告情報を出力することを選択した旨を示す選択情報を前記出力装置から受信したことを条件に前記広告情報を前記出力装置に送信して前記出力装置から前記広告情報を出力させる前記（１）または（２）に記載の情報処理装置。
（４）
前記出力装置からの前記広告情報の出力に関する効果の測定結果に基づく効果測定情報を管理する広告活動情報管理部をさらに具備する前記（１）から（３）のいずれかに記載の情報処理装置。
（５）
前記出力装置から出力されている前記広告情報を取得した人物による前記広告情報の出力に関する評価を示す評価情報を管理する広告活動情報管理部をさらに具備する前記（１）から（４）のいずれかに記載の情報処理装置。
（６）
前記制御部は、前記出力装置からの前記広告情報の出力に関する効果の測定結果に基づく効果測定情報と、前記出力装置から出力されている前記広告情報を取得した人物による前記広告情報の出力に関する評価を示す評価情報とに基づいて前記抽出された人物に関する格付け情報を生成する前記（１）から（５）のいずれかに記載の情報処理装置。
（７）
前記制御部は、前記格付け情報に基づいて前記出力装置からの前記広告情報の出力に対する前記抽出された人物への報酬を決定する前記（６）に記載の情報処理装置。
（８）
前記制御部は、前記出力装置から前記広告情報が出力されている間に前記広告情報に関する関連情報の取得要求を他の情報処理装置から受信した場合には前記関連情報を前記他の情報処理装置に送信する前記（１）から（７）のいずれかに記載の情報処理装置。
（９）
前記制御部は、近距離無線通信を利用して他の装置との間で情報のやりとりを行う広告情報提供装置に前記広告情報を記憶させ、前記広告情報提供装置から前記出力装置に前記広告情報を近距離無線通信を利用して送信させて前記出力装置から前記広告情報を出力させる前記（１）から（８）のいずれかに記載の情報処理装置。
（１０）
複数の人物に関するプロファイル情報を管理するプロファイル情報管理部と、出力対象となる広告情報に関する出力条件と前記プロファイル情報とに基づいて前記複数の人物のうちから前記出力条件を満たす人物を抽出する抽出部と、前記抽出された人物が有する出力装置に前記広告情報を送信して出力させるための制御を行う制御部とを備える情報処理装置と、
前記広告情報を出力する出力部を備える出力装置と
を具備する通信システム。
（１１）
出力対象となる広告情報に関する出力条件と、複数の人物に関するプロファイル情報とに基づいて前記複数の人物のうちから前記出力条件を満たす人物を抽出する抽出手順と、
前記抽出された人物が有する出力装置から前記広告情報を出力させるための制御を行う制御手順と
を具備する情報処理方法。
【符号の説明】
【０２４３】
１０  通信システム
１１  ネットワーク
１２  基地局
１３  広告主側情報処理装置
１４、１５、２１、３１、１００、２００、２０１、６００、６１０、６２０、６３０、６４０、６５０、６６０、６７０  情報処理装置
１１０  プロファイル情報記憶部
１２０  広告活動情報記憶部
１３０  広告情報記憶部
１４０  通信部
１５０、２６０  操作受付部
１６０  抽出部
１７０、２７０  制御部
１８０、２８０、２８１、６０２、６１２、６２２、６３２、６４３、６５２、６６２、６７３  表示部
２１０  無線通信部
２１１  アンテナ
２２０  広告情報記憶部
２３０、２３１、６０１、６１１、６２１、６３１、６４１、６５１、６６１、６７１  撮像部
２４０  位置情報取得部
２５０  姿勢検出部
３００  広告情報提供装置
３１０、３２０  近距離無線通信部
【図１】
2015004848.tif 000003
【図２】
2015004848.tif 000004
【図３】
2015004848.tif 000005
【図４】
2015004848.tif 000006
【図５】
2015004848.tif 000007
【図６】
2015004848.tif 000008
【図７】
2015004848.tif 000009
【図８】
2015004848.tif 000010
【図９】
2015004848.tif 000011
【図１０】
2015004848.tif 000012
【図１１】
2015004848.tif 000013
【図１２】
2015004848.tif 000014
【図１３】
2015004848.tif 000015
【図１４】
2015004848.tif 000016
【図１５】
2015004848.tif 000017
【図１６】
2015004848.tif 000018
【図１７】
2015004848.tif 000019
【図１８】
2015004848.tif 000020
【図１９】
2015004848.tif 000021
【図２０】
2015004848.tif 000022
【図２１】
2015004848.tif 000023
【図２２】
2015004848.tif 000024
【図２３】
2015004848.tif 000025
【図２４】
2015004848.tif 000026
【図２５】
2015004848.tif 000027